(57)【要約】【課題】従来の用途を満足しつつも、さらに複数の光ディスクへの同一コンテンツダビングという新しい機能を容易に実現でき、更に複数の光ディスクに対してディスクを跨いだコンテンツ記録などを実現出来る、民生用ＡＶレコーダのような情報記録再生装置を提供する。【解決手段】光ディスクチェンジャを用い、複数の光ディスクによって従来のハードディスクが担っていた一時保存領域を提供し、さらに光ディスクの装着手段として２つの手段（トレイ部とディスクマガジン部）を備える。また、キャッシュ等の役割を果たす、転送レートが非常に高速なフラッシュメモリドライブ部を備え、光ディスク入れ替えに伴う起動（ロード）時間などのアクセス不能時間をカバーして、記録再生を途切らせることなく実現する。【選択図】図１
2012160245.tif 000002
【特許請求の範囲】
【請求項１】
可搬型情報記録媒体に情報の記録再生を行う情報記録再生装置であって、
前記情報記録再生装置は、前記可搬型情報記録媒体を複数装着可能なチェンジャ型のドライブユニットを備え、
前記ドライブユニットは、トレイ部とマガジン部とトラバース部を備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生する
ことを特徴とした情報記録再生装置。
【請求項２】
タビング時に、ダビング元データが格納された前記可搬型情報記録媒体が前記ドライブユニットの筐体内に留まることを保証するため、前記ドライブユニット内の前記トレイ部と前記マガジン部との間での、前記可搬型情報記録媒体の受け渡しを制限することを特徴とする、
請求項１記載の情報記録再生装置。
【請求項３】
前記マガジン部に装着された前記可搬型情報記録媒体が前記マガジン部に留まることを保証するために、前記ドライブユニット内の前記トレイ部と前記マガジン部との間での、前記可搬型情報記録媒体の受け渡しを制限し、
さらに前記マガジン部が前記ドライブユニットから取り外された状態では、前記マガジン部に装着された前記可搬型情報記録媒体の取り出しを制限することで、
前記マガジン部に装着された複数の前記可搬型情報記録媒体に跨って、１つのコンテンツを記録再生することを可能とした、
請求項１記載の情報記録再生装置。
【請求項４】
前記ドライブユニットに、前記可搬型情報記録媒体を着脱可能な、前記トレイ部と前記マガジン部という２つの機構を備え、
前記トレイ部と前記マガジン部の双方に所定の前記可搬型情報記録媒体が装着された場合にのみ、前記可搬型情報記録媒体に格納された全てもしくは一部のデータの読み出しを可能とすることで、セキュリティ強化を可能とした、
請求項１記載の情報記録再生装置。
【請求項５】
前記情報記録再生装置はさらに、高速なデータ転送が可能なメモリドライブを備え、
前記メモリドライブは、前記ドライブユニットへのデータの記録再生におけるバッファやキャッシュとして使用可能なバッファ領域と、
コンテンツを一時的に記録しておくことが可能な一時記録領域と
を共に備えていることを特徴とする、請求項１記載の情報記録再生装置。
【請求項６】
前記バッファ領域に蓄積可能なデータ容量は、前記可搬型情報記録媒体に蓄積可能なデータ容量よりも小さいことを特徴とし、
任意の前記可搬型情報記録媒体に格納されたデータをダビング元データとして、別のｍ枚（ｍは１以上の正数）の前記可搬型情報記録媒体にダビング記録する場合に、
（ａ）前記バッファ領域への１回の前記ダビング元データの一部分を読出して、前記バッファ領域から前記別のｍ枚の可搬型情報記録媒体へ逐次に記録を行う第１制御部と、
（ｂ）前記（ａ）に記載の処理を、全てのダビング元データがダビング記録されるまで
繰り返して行う第２制御部と
を備えることを特徴とする、請求項５記載の情報記録再生装置。
【請求項７】
ＡＶデータなどの録画を行う情報記録再生装置であって、
前記情報記録再生装置は、
前記情報記録再生装置の内部へ前記ＡＶデータを入力するためのＡＶ入力ユニットと、
前記情報記録再生装置の外部へ前記ＡＶデータを出力するためのＡＶ出力ユニットと、
前記ＡＶデータを、録画再生に適したデータ形式に変換するフォーマット変換ユニットと、
前記可搬型情報記録媒体を複数装着可能で、前記可搬型情報記録媒体へのデータの記録再生を行うチェンジャ型のドライブユニットと、
前記ＡＶデータの録画再生のために、入出力データを一時的に保存する緩衝の役割を果たすバッファユニットと、
録画再生に代表される前記情報記録再生装置全体の制御を行う制御ユニットと、
ユーザとの間での情報のやり取りを行うユーザインタフェースユニットとを備え、
前記ドライブユニットは、トレイ部とマガジン部とトラバース部を備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生する
ことを特徴とした情報記録再生装置。
【請求項８】
情報記録再生装置によって可搬型情報記録媒体に情報の記録再生を行う情報記録再生方法であって、
前記情報記録再生装置は、前記可搬型情報記録媒体を複数装着可能なチェンジャ型のドライブユニットを備え、
前記ドライブユニットは、トレイ部とマガジン部とトラバース部を備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生を行い、
前記情報記録再生方法は、
タビング時に、ダビング元データが格納された前記可搬型情報記録媒体が前記ドライブユニットの筐体内に留まることを保証するため、前記ドライブユニット内の前記トレイ部と前記マガジン部との間での、前記可搬型情報記録媒体の受け渡しを制限することを特徴とする、
情報記録再生方法。
【請求項９】
情報記録再生装置によって可搬型情報記録媒体に情報の記録再生を行う情報記録再生方法であって、
前記情報記録再生装置は、前記可搬型情報記録媒体を複数装着可能なチェンジャ型のドライブユニットを備え、
前記ドライブユニットは、トレイ部とマガジン部とトラバース部を備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生を行い、
前記マガジン部に装着された前記可搬型情報記録媒体が前記マガジン部に留まることを保証するために、前記ドライブユニット内の前記トレイ部と前記マガジン部との間での、前記可搬型情報記録媒体の受け渡しを制限され、
さらに前記マガジン部が前記ドライブユニットから取り外された状態では、前記マガジン部に装着された前記可搬型情報記録媒体の取り出しを制限され、
前記情報記録再生方法は、
前記マガジン部に装着された複数の前記可搬型情報記録媒体に跨って、１つのコンテンツを記録再生することを特徴とした、情報記録再生方法。
【請求項１０】
情報記録再生装置によって可搬型情報記録媒体に情報の記録再生を行う情報記録再生方法であって、
前記情報記録再生装置は、前記可搬型情報記録媒体を複数装着可能なチェンジャ型のドライブユニットを備え、
前記ドライブユニットは、前記可搬型情報記録媒体を着脱可能なトレイ部とマガジン部という２つの機構と、トラバース部とを備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生を行い、
前記情報記録再生方法は、
前記トレイ部と前記マガジン部の双方に所定の前記可搬型情報記録媒体が装着された場合にのみ、前記可搬型情報記録媒体に格納された全てもしくは一部のデータの読み出しを可能とすることで、セキュリティ強化が可能な、
情報記録再生方法。
【請求項１１】
情報記録再生装置によって可搬型情報記録媒体に情報の記録再生を行う情報記録再生方法であって、
前記情報記録再生装置は、前記可搬型情報記録媒体を複数装着可能なチェンジャ型のドライブユニットを備え、
前記ドライブユニットは、前記可搬型情報記録媒体を着脱可能なトレイ部とマガジン部という２つの機構と、トラバース部とを備え、
前記トレイ部は、前記可搬型情報記録媒体を１つのみ直接装着可能で、前記ドライブユニットの筐体の外部から内部、または内部から外部へスライド式にローディングされ、
前記マガジン部は、複数の前記可搬型情報記録媒体を一度に装着可能で、外的な動力によって前記ドライブユニットに直接取り付け・取り外しされ、
前記トラバース部は、前記トレイ部に装着された前記可搬型情報記録媒体、及び、前記マガジン部に装着された前記可搬型情報記録媒体の双方に対して記録再生を行い、
前記バッファ領域に蓄積可能なデータ容量は、前記可搬型情報記録媒体に蓄積可能なデータ容量よりも小さいことを特徴とし、
前記情報記録再生方法は、
任意の前記可搬型情報記録媒体に格納されたデータをダビング元データとして、別のｍ枚（ｍは１以上の正数）の前記可搬型情報記録媒体にダビング記録する場合に、
（ａ）前記バッファ領域への１回の前記ダビング元データの一部分を読出して、前記バッファ領域から前記別のｍ枚の可搬型情報記録媒体へ逐次に記録を行うステップと、
（ｂ）前記（ａ）に記載の処理を、全てのダビング元データがダビング記録されるまで
繰り返して行うステップと
を備えることを特徴とする、情報記録再生方法。
【発明の詳細な説明】
【技術分野】
【０００１】
本発明は、地上波デジタル放送のテレビ番組などの録画再生を行うＡｕｄｉｏ／Ｖｉｓｕａｌ（以下ＡＶと略す）レコーダ装置に関するものであり、その中でも特に情報記録媒体として複数の光ディスクを使用する情報記録再生装置に関するものである。
【背景技術】
【０００２】
従来、テレビ番組を中心としたＡＶコンテンツの民生用録画再生装置としては、ＶＨＳを中心としたビデオデッキ（ビデオテープレコーダ）が中心であった。しかし近年は、記録媒体が、ＶＨＳに代表されるビデオテープから、ＤＶＤ（Ｄｉｇｉｔａｌ  Ｖｅｒｓａｔｉｌｅ  Ｄｉｓｃ）やＢｌｕ−ｒａｙ  Ｄｉｓｃ（以下ＢＤと呼ぶ）に代表される光ディスクに替わってきた。光ディスクは、可搬媒体でありながら長期保存・ランダムアクセス可能といった長所を活かして、テレビ番組の録画再生を行う光ディスクレコーダと呼ばれる記録再生装置が広く普及するようになった。さらに最近では、地上波デジタル放送などハイビジョン・デジタル放送の普及によるテレビ番組コンテンツ自体のデータ量増加も影響して、光ディスクだけでなく、さらに記録媒体として大容量のハードディスクドライブ（以下、ＨＤＤと呼ぶ）のような磁気ディスクを備えたＨＤＤ搭載型光ディスクレコーダがユーザから好まれている。
【０００３】
このＨＤＤ搭載型光ディスクレコーダの一般的な使われ方としては、タイムシフト録画のように、一度見たら消去するような番組などの一時記録用（つまり、内容や重要度などは気にせず撮り溜め、大半は一度視聴したら削除するような番組の記録用）に、大容量でアクセス速度が速いハードディスクが使用される。一方で、ユーザが気に入った番組や永く残しておきたい番組のダビング用、あるいはデジタルビデオカメラやデジタルカメラなどで撮影した個人コンテンツのバックアップ（アーカイブ）用として、長期保存が可能でバックアップやアーカイブに適した光ディスクが使用される。
【０００４】
更に最近では、光ディスクと比べて大容量かつアクセス高速なＨＤＤの特徴を活かして、例えば、複数番組を同時に録画できる機能や、或いはダビングしながら録画・再生するといった機能も実現されてきている（例えば、特許文献１や特許文献２参照）。
【０００５】
特許文献１には、例えばＨＤＤと光ディスクドライブを搭載した記録再生装置において、高速のエンコーダとデコーダを追加することで、高速のダビングを行いつつ他の番組の録画や再生を行う方法が記載されている。ここでエンコーダとはデジタルＡＶ信号の圧縮手段、デコーダとはデジタルＡＶ信号の復元手段のことである。
【０００６】
特許文献２には、ダブルチューナを備えた２番組同時録画が可能な記録再生装置について記載されている。またデジタルＡＶ信号をＭＰＥＧ２のような圧縮技術を使ってデータ圧縮しながら録画することで、更なる長時間記録を可能にするような手段についても記載されている。
【０００７】
図１６は、特許文献２に記載された、従来型レコーダであるＨＤＤ搭載型光ディスクレコーダの情報記録再生装置２００の代表的な構成を示すブロック図である。図１６に示す情報記録再生装置２００は、ＢＤやＤＶＤなどの光ディスク１とハードディスク（図示せず）の双方に番組を録画することができる。
【０００８】
この情報記録再生装置２００は、光ディスクドライブ部２１２、ハードディスクドライブ部２１４の２種類のディスクドライブ部を備える。
【０００９】
光ディスクドライブ部２１２は、光ディスク１を回転駆動し、情報の読み書きを実行する。光ディスクドライブ部２１２は、光ディスク１に対する回転制御系、レーザ駆動系、光学系などを備える。光ディスクドライブ部２１２は、光ディスク１を１枚のみ装着し記録再生することが出来、違う光ディスク１を装着するには、ユーザの手を介して光ディスク１を入れ替える必要がある。
【００１０】
また、ハードディスクドライブ部２１４は、ハードディスクを駆動し、情報の読み書きを実行する。
【００１１】
また、情報記録再生装置２００は、データ制御部２１６を備える。このデータ制御部２１６は、光ディスクドライブ部２１２やハードディスクドライブ部２１４に記録データを供給し、また、光ディスクドライブ部２１２やハードディスクドライブ部２１４により読み出された再生データを受け取る。データ制御部２１６は例えば集積回路（ＬＳＩ）という形で実装される。
【００１２】
また、情報記録再生装置２００は、エンコーダ部３０、デコーダ部５０、マイクロコンピュータ部７０を備えている。
【００１３】
エンコーダ部３０には、選択回路２０を介して、ＡＶ入力部１８ａからの外部アナログビデオ信号と外部アナログオーディオ信号が入力される。また、エンコーダ部３０には、選択回路２０を介して、地上波アナログチューナ１８ｃ、地上波デジタルチューナ１８ｂなどからの受信信号が選択的に入力される。例えば、この情報記録再生装置２００は、地上波デジタルチューナ１８ｂで受信した番組をハードディスクドライブ部２１４により録画しつつ、同時に、地上波アナログチューナ１８ｃで受信した番組をハードディスクドライブ部２１４により記録したり、ハードディスクドライブ部２１４により録画済の番組を読出しデコーダ部５０により再生したりすることができる。また、例えば地上波デジタルチューナ１８ｂは、２チャンネルの番組を同時に受信出力可能な、いわゆるダブルチューナとし、上記選択回路２０により、要求に応じて２番組を同時に選択可能である。
【００１４】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２規格などに基づいて可変ビットレートで圧縮する。オーディオエンコーダは、デジタルオーディオ信号をＭＰＥＧまたはＡＣ−３規格などに基づいて固定ビットレートで圧縮する。
【００１５】
ここで、例えばＤＶＤを例にとって説明すると、ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００１６】
またエンコーダ部３０からのエンコード出力信号は、データ制御部２１６が備えるフォーマッタ３２にて所定のデータフォーマット（例えばＤＶＤのデータフォーマット）に変換される。なお、フォーマッタ３２には、バッファメモリ２３４が接続されており、フォーマッタ３２によるデータフォーマット変換時などに、エンコード出力信号が一時的にバッファリングされる。具体的には、例えば、エンコードされたデジタルビデオ信号、デジタルオーディオ信号、副映像データは、フォーマッタ３２にてパック化され、ビデオパック、オーディオパック、副映像パックとなる。さらにこれらのパック化されたデータが集合されて、ＤＶＤ-ビデオ規格で規定されたフォーマット（ＤＶＤ Ｖｉｄｅｏフォーマット）や、ＤＶＤ-レコーディング規格で規定されたフォーマット（ＤＶＤ ＶＲフォーマット）に変換される。さらにバッファメモリ２３４は、記録再生時における光ディスクドライブ部２１２やハードディスクドライブ部２１４との間のデータの流れの緩衝としての役割も果たす。さらにバッファメモリ２３４は、光ディスクドライブ部２１２やハードディスクドライブ部２１４から読み出したデータの内容確認、データ整形などの作業領域として使用されたりもする。
【００１７】
なお、トランスポートストリームから抽出したパケットエレメンタリーストリームが、エンコーダ部３０から直接ハードディスクドライブ部２１４のハードディスクに記録される場合もある。
【００１８】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。
【００１９】
データ制御部２１６（フォーマッタ３２）で変換されたフォーマットデータ（ビデオ、オーディオ、副映像データなどのパック）及び作成された管理情報は、ハードディスクドライブ部２１４あるいは光ディスクドライブ部２１２に供給され、ハードディスクあるいは光ディスク１に記録される。またハードディスクあるいは光ディスク１に記録されたフォーマットデータ及び管理情報は、データ制御部２１６、光ディスクドライブ部２１２を介して光ディスク１あるいはハードディスクに記録することもできる（ハードディスク→光ディスク１／光ディスク１→ハードディスク）。
【００２０】
また、データ制御部２１６は、ハードディスクあるいは光ディスク１に記録されている番組データを構成するビデオオブジェクトの一部を削除したり、異なる複数の番組を構成するビデオオブジェクトの一部をつなぎあわせたりする編集処理を行うこともできる。
【００２１】
マイクロコンピュータ部７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。
【００２２】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００２３】
また、マイクロコンピュータ部７０は、システムタイムクロックを基にした時間データに基づいて、光ディスクドライブ部２１２、ハードディスクドライブ部２１４、データ制御部２１６、エンコーダ部３０、デコーダ部５０などを制御する。
【００２４】
また、マイクロコンピュータ部７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。キー入力部７６は、例えば、番組ガイド表示キー、カレンダー表示キー、録画予約番組一覧表示キー、再生番組一覧表示キー、削除キー、決定キー、十字キーを備えており、この十字キーは、上下キー及び左右キーを備えている。その他、適宜機能を割り当て可能な青、赤、緑、黄のキーを備えている。このキー入力部７６を介しての操作入力（選択操作）に基づき、情報記録再生装置は、番組録画予約、番組録画予約に基づく番組録画、録画番組の再生、再生の停止、録画番組の編集（削除等）などを実行する。
【００２５】
デコーダ部５０は、デジタルアナログ変換器（図示せず）を介してデジタルビデオ信号をアナログビデオ信号へ変換し、外部（例えばモニタ）へ出力したりする。
【００２６】
また、この情報記録再生装置２００は、録画番組を構成するデータにアクセス（シーク）している間に、途切れないように録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（例えばＤＶＤの場合は１６セクタ。１セクタは２ＫＢｙｔｅであり、１ＥＣＣは３２ＫＢｙｔｅ。）の倍数の情報が記録される。
【００２７】
データ制御部２１６は、エンコーダ部３０からビデオオブジェクト（以下ＶＯＢＵと呼ぶ）単位のデータを受け取り、ＶＯＢＵ単位のデータからＣＤＡ単位のデータを生成し、ＣＤＡ単位のデータを光ディスクドライブ部２１２あるいはハードディスクドライブ部２１４に供給する。そして、ハードディスク、あるいは光ディスク１に記録される。またマイクロコンピュータ部７０のＭＰＵは、記録したデータを再生するのに必要な管理情報を作成し、データ記録終了のコマンドを認識すると、作成した管理情報をデータ制御部２１６に送る。これにより、管理情報がハードディスク、あるいは光ディスク１に記録される。
【００２８】
また別の記録再生装置としては例えば、光ディスクへの記録再生をユーザの手を煩わせることなく効率的に行う装置として、いわゆるディスクチェンジャ式の光ディスク記録再生装置も知られている（例えば、特許文献３や特許文献４参照）。この装置は、複数の光ディスクを装着でき、記録再生対象のディスクを交換可能なチェンジャ部を有する。そしてチェンジャ部に装着され、指定された光ディスクに対して情報の記録再生を行う装置である。
【００２９】
特許文献３には、ＨＤＤから複数の光ディスクに自動的にダビングするダビング装置及びその制御方法に関するものが記載されている。
【００３０】
また特許文献４には、１つのテレビ番組のようなプログラムを複数の光ディスクに記録する場合の方法について記載されている。例えば、プログラムの冒頭部分については装置内のメモリに記録し、残りは光ディスクに記録しておくことで連続再生を実現する方法について記載されている。あるいは、記録中の光ディスクの空き容量が無くなった場合に、光ディスクを自動で交換し、交換中はプログラムデータをバッファメモリに一時保存し、交換した光ディスクにプログラムの残りを記録することで連続記録を実現する方法について記載されている。
【００３１】
さらに別の記録再生装置として、複数の光ディスクに同一のデータを記録（複製）するディスクパブリッシャー、あるいはデュプリケータ装置がある（例えば、特許文献５参照）。
【００３２】
特許文献５には、再生ドライブや記録ドライブといった光ディスクドライブ装置を備えたダビング装置について記載されている。
【先行技術文献】
【特許文献】
【００３３】
【特許文献１】特開２００３−２２４８１３号公報
【特許文献２】特開２０１０−２０６２９２号公報
【特許文献３】特開２００４−１２７４７０号公報
【特許文献４】特開２０００−４８４６８号公報
【特許文献５】特開２００１−１２６３６９号公報
【発明の概要】
【発明が解決しようとする課題】
【００３４】
しかしながら、従来のレコーダ装置におけるダビング方法としては、テレビ番組や装置内に外部入力から取り込んだ映像データなど、レコーダ等の記録再生装置自身に記録したデータのダビングが基本であった。つまり、この場合、ダビングしようとする番組データ等のコンテンツが格納されているのは、装置に備え付けのハードディスクのような一時記録媒体が使用されるのが一般的である。
【００３５】
しかし、ＨＤＤはドライブ（ピックアップ等の記録再生装置）とディスク（記録メディア）とが一体型であるため、ディスクモータ等のドライブハードウェアの故障によりディスク内のデータが読み出せなくなるリスクが高い。さらにＨＤＤはデータの記録密度を高めるために、データの読み取りようのピックアップとディスクの隙間を、非常に狭めており、クラッシュ等の故障が起こりやすい。一旦、クラッシュが発生した場合には、ディスクが物理的に破壊されデータの読み出しが出来なくなるという問題がある。ある調査結果では、ＨＤＤは必ずしもその使用頻度によらず、突然データ読み出しが出来なくなることがあるといった結果もある。このようにＨＤＤは、一般的にデータ保存に対する信頼性に不安を抱える。信頼性を保つための仕組みとしては、ＨＤＤでＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）を組んだりミラーリングを行ったりして冗長度を上げる方法や、あるいは定期的にＨＤＤを交換しデータ移管するといったマイグレーションするといった方法などが良く用いられる。しかしこれらの方法は、いずれも装置の大規模化に繋がり、コストアップするため、ユーザにとってのデメリットも大きい。又、装置の大規模化は、資源および電力の面で消費が多く、地球環境にとっても好ましくない。
【００３６】
しかし一方で、ダビングを行おうと思っても、ダビング元のデータ（ダビングしようとするデータ）が読み出せなくては意味が無い。最悪の場合は、ＨＤＤから光ディスク１へダビングする前にダビング元のデータが読み出せなくなってしまうこともある。また一時保存用とは言え、録画したコンテンツの視聴前にデータが読み出せなくなってしまうこともある。そのため、ダビング元データが格納される記録媒体には信頼性が求められている。
【００３７】
しかしその一方で、ＨＤＤを備えた現在のレコーダ装置等で実現されている２番組同時高倍速記録機能といった機能が使えなくなってしまっては、ユーザにとってのメリットは半減してしまう。
【００３８】
また、光ディスク複製専用のデュプリケータ装置は、複製元ディスクからのデータ読み出し用ドライブと、複製先のディスクへのデータ記録用ドライブの複数の光ディスクドライブ（記録再生装置）を備え、さらにディスク搬送用のアームなどを備える。そのため、コストアップや装置の大型化にも繋がり、一般のユーザが使用するには不便である。
【００３９】
本発明は、これらの課題を解決し、光ディスクに一時記録媒体としての役割も持たせたようなＡＶレコーダ装置のような情報記録再生装置、ならびに情報記録再生方法を実現することを目的としたものである。
【課題を解決するための手段】
【００４０】
本発明の情報記録再生装置は、可搬型情報記録媒体に情報の記録再生を行う情報記録再生装置であって、前記情報記録再生装置は、前記可搬型情報記録媒体を複数装着可能なチェンジャ型のドライブユニットを備え、前記ドライブユニットは、トレイ部とマガジン部とトラバース部を備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生し、これにより上記目的を達成する。
【００４１】
タビング時に、ダビング元データが格納された前記可搬型情報記録媒体が前記ドライブユニットの筐体内に留まることを保証するため、前記ドライブユニット内の前記トレイ部と前記マガジン部との間での、前記可搬型情報記録媒体の受け渡しを制限しても良い。
【００４２】
前記マガジン部に装着された前記可搬型情報記録媒体が前記マガジン部に留まることを保証するために、前記ドライブユニット内の前記トレイ部と前記マガジン部との間での、前記可搬型情報記録媒体の受け渡しを制限し、さらに前記マガジン部が前記ドライブユニットから取り外された状態では、前記マガジン部に装着された前記可搬型情報記録媒体の取り出しを制限することで、前記マガジン部に装着された複数の前記可搬型情報記録媒体に跨って、１つのコンテンツを記録再生することを可能としても良い。
【００４３】
前記ドライブユニットに、前記可搬型情報記録媒体を着脱可能な、前記トレイ部と前記マガジン部という２つの機構を備え、前記トレイ部と前記マガジン部の双方に所定の前記可搬型情報記録媒体が装着された場合にのみ、前記可搬型情報記録媒体に格納された全てもしくは一部のデータの読み出しを可能とすることで、セキュリティ強化を可能としても良い。
【００４４】
前記情報記録再生装置はさらに、高速なデータ転送が可能なメモリドライブを備え、前記メモリドライブは、前記ドライブユニットへのデータの記録再生におけるバッファやキャッシュとして使用可能なバッファ領域と、コンテンツを一時的に記録しておくことが可能な一時記録領域とを共に備えていても良い。
【００４５】
前記バッファ領域に蓄積可能なデータ容量は、前記可搬型情報記録媒体に蓄積可能なデータ容量よりも小さいことを特徴とし、任意の前記可搬型情報記録媒体に格納されたデータをダビング元データとして、別のｍ枚（ｍは１以上の正数）の前記可搬型情報記録媒体にダビング記録する場合に、（ａ）前記バッファ領域への１回の前記ダビング元データの一部分を読出して、前記バッファ領域から前記別のｍ枚の可搬型情報記録媒体へ逐次に記録を行う第１制御部と、（ｂ）前記（ａ）に記載の処理を、全てのダビング元データがダビング記録されるまで繰り返して行う第２制御部とを備えても良い。
【００４６】
本発明の情報記録再生装置は、ＡＶデータなどの録画を行う情報記録再生装置であって、前記情報記録再生装置は、前記情報記録再生装置の内部へ前記ＡＶデータを入力するためのＡＶ入力ユニットと、前記情報記録再生装置の外部へ前記ＡＶデータを出力するためのＡＶ出力ユニットと、前記ＡＶデータを、録画再生に適したデータ形式に変換するフォーマット変換ユニットと、前記可搬型情報記録媒体を複数装着可能で、前記可搬型情報記録媒体へのデータの記録再生を行うチェンジャ型のドライブユニットと、前記ＡＶデータの録画再生のために、入出力データを一時的に保存する緩衝の役割を果たすバッファユニットと、録画再生に代表される前記情報記録再生装置全体の制御を行う制御ユニットと、ユーザとの間での情報のやり取りを行うユーザインタフェースユニットとを備え、前記ドライブユニットは、トレイ部とマガジン部とトラバース部を備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生し、これにより、上記目的を達成する。
【００４７】
本発明の情報記録再生方法は、情報記録再生装置によって可搬型情報記録媒体に情報の記録再生を行う情報記録再生方法であって、前記情報記録再生装置は、前記可搬型情報記録媒体を複数装着可能なチェンジャ型のドライブユニットを備え、前記ドライブユニットは、トレイ部とマガジン部とトラバース部を備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生を行い、前記情報記録再生方法は、タビング時に、ダビング元データが格納された前記可搬型情報記録媒体が前記ドライブユニットの筐体内に留まることを保証するため、前記ドライブユニット内の前記トレイ部と前記マガジン部との間での、前記可搬型情報記録媒体の受け渡しを制限することで、上記目的が達成される。
【００４８】
本発明の情報記録再生方法は、情報記録再生装置によって可搬型情報記録媒体に情報の記録再生を行う情報記録再生方法であって、前記情報記録再生装置は、前記可搬型情報記録媒体を複数装着可能なチェンジャ型のドライブユニットを備え、前記ドライブユニットは、トレイ部とマガジン部とトラバース部を備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生を行い、前記マガジン部に装着された前記可搬型情報記録媒体が前記マガジン部に留まることを保証するために、前記ドライブユニット内の前記トレイ部と前記マガジン部との間での、前記可搬型情報記録媒体の受け渡しを制限され、さらに前記マガジン部が前記ドライブユニットから取り外された状態では、前記マガジン部に装着された前記可搬型情報記録媒体の取り出しを制限され、前記情報記録再生方法は、前記マガジン部に装着された複数の前記可搬型情報記録媒体に跨って、１つのコンテンツを記録再生することで、序幸目的が達成される。
【００４９】
本発明の情報記録再生方法は、情報記録再生装置によって可搬型情報記録媒体に情報の記録再生を行う情報記録再生方法であって、前記情報記録再生装置は、前記可搬型情報記録媒体を複数装着可能なチェンジャ型のドライブユニットを備え、前記ドライブユニットは、前記可搬型情報記録媒体を着脱可能なトレイ部とマガジン部という２つの機構と、トラバース部とを備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生を行い、前記情報記録再生方法は、前記トレイ部と前記マガジン部の双方に所定の前記可搬型情報記録媒体が装着された場合にのみ、前記可搬型情報記録媒体に格納された全てもしくは一部のデータの読み出しを可能とすることで、セキュリティ強化を可能としても良い。
【００５０】
本発明の情報記録再生方法は、情報記録再生装置によって可搬型情報記録媒体に情報の記録再生を行う情報記録再生方法であって、前記情報記録再生装置は、前記可搬型情報記録媒体を複数装着可能なチェンジャ型のドライブユニットを備え、前記ドライブユニットは、前記可搬型情報記録媒体を着脱可能なトレイ部とマガジン部という２つの機構と、トラバース部とを備え、前記トレイ部は、前記可搬型情報記録媒体を１つのみ直接装着可能で、前記ドライブユニットの筐体の外部から内部、または内部から外部へスライド式にローディングされ、前記マガジン部は、複数の前記可搬型情報記録媒体を一度に装着可能で、外的な動力によって前記ドライブユニットに直接取り付け・取り外しされ、前記トラバース部は、前記トレイ部に装着された前記可搬型情報記録媒体、及び、前記マガジン部に装着された前記可搬型情報記録媒体の双方に対して記録再生を行い、前記バッファ領域に蓄積可能なデータ容量は、前記可搬型情報記録媒体に蓄積可能なデータ容量よりも小さいことを特徴とし、前記情報記録再生方法は、任意の前記可搬型情報記録媒体に格納されたデータをダビング元データとして、別のｍ枚（ｍは１以上の正数）の前記可搬型情報記録媒体にダビング記録する場合に、（ａ）前記バッファ領域への１回の前記ダビング元データの一部分を読出して、前記バッファ領域から前記別のｍ枚の可搬型情報記録媒体へ逐次に記録を行うステップと、（ｂ）前記（ａ）に記載の処理を、全てのダビング元データがダビング記録されるまで繰り返して行うステップとを備えることで、上記目的が達成される。
【発明の効果】
【００５１】
本発明の情報記録再生装置、ならびに情報記録再生方法によれば、光ディスクを一時保存領域としても使用するような、光ディスクを中心とした情報記録再生装置において、ユーザの操作性を損なうことなく、複数の光ディスクへの簡単ダビングといった新しい機能を実現出来るとともに、長期保存性やデータ信頼性が向上した情報記録再生装置を実現することが出来る。
【図面の簡単な説明】
【００５２】
【図１】本発明の実施の形態における光ディスクチェンジャドライブ部の構成を示す、横から見た断面図形式の説明図
【図２】本発明の実施の形態における、情報記録再生装置の構成を示す図
【図３】本発明の実施の形態における光ディスクチェンジャドライブ部の、光ディスク１を装着した状態を示す説明図
【図４】本発明の実施の形態２における、ダビング処理手順の全体的な流れを示すフロー図
【図５】本発明の実施の形態２、本発明の実施の形態３における、ダビング処理中のダビング元ディスク読出し処理フロー図
【図６】本発明の実施の形態２、本発明の実施の形態３における、ダビング処理中のダビング先ディスク記録処理フロー図
【図７】本発明の実施の形態２の手法と従来手法を用いた場合の、ダビング時の光ディスクチェンジャドライブ部の動きを示す一覧を示す図
【図８】本発明の実施の形態３における、ダビング先ディスクが２枚（偶数枚）の場合のダビング処理手順の全体的な流れを示すフロー図
【図９】本発明の実施の形態３における、ダビング先ディスクが３枚（奇数枚）の場合のダビング処理手順の全体的な流れを示すフロー図
【図１０】本発明の実施の形態３における、トラバースユニットを２台備えた光ディスクチェンジャドライブ部１２を正面から見た概念図
【図１１】本発明の実施の形態３の手法と従来手法を用いた場合の、ダビング時の光ディスクチェンジャドライブ部の動きを示す図
【図１２】本発明の実施の形態１における、棚管理マガジンのＩＣタグからの情報取得の様子を示したイメージ図
【図１３】本発明の実施の形態における、異なるディスクにコンテンツを集約・分割するようなダビングの一例を示したイメージ図
【図１４】本発明の実施の形態における、ダビング時にユーザに対して表示部７４を通じて提供される操作画面の表示の一例を、操作手順とあわせて記載した図
【図１５】本発明の実施の形態４における、バッファ領域９１のデータ蓄積量推移を示す図
【図１６】従来の情報記録再生装置の構成を示す図
【発明を実施するための形態】
【００５３】
以下本発明の実施の形態について、図面を参照しながら説明する。
【００５４】
（実施の形態１）
本発明の実施の形態１では、情報記録再生装置１００の構成について説明する。
【００５５】
図２は、本発明の実施の形態における情報記録再生装置１００の構成を示すブロック図である。情報記録再生装置１００の多くの構成は、大きくは以下の３点を除いて、図１６を用いて説明した情報記録再生装置２００と同じである。
【００５６】
・大容量（例えば２５０ＧＢ以上）のハードディスクドライブ（ＨＤＤ）の代わりに、比較的小容量（例えば１２０ＧＢ未満）の半導体メモリであるフラッシュメモリドライブ部１４を備える点。
【００５７】
・データ制御部１６と光ディスクチェンジャドライブ部１２との間での、データの流れの緩衝としての役割の主体は、データ制御部１６に備えられるバッファメモリ２３４ではなく、フラッシュメモリドライブ部１４中のバッファ領域９１である点。
【００５８】
・光ディスク１への記録再生装置として、光ディスク１を１枚のみ装着することが可能な光ディスクドライブ部２１２では無く、複数の光ディスク１を装着可能な光ディスクチェンジャドライブ部１２を備える点。
【００５９】
なお、図２において、図１６と同じ働きをする構成部については図１６と同じ名称・番号を付与することとし、詳細な説明は省略する。
【００６０】
図２に示す情報記録再生装置１００は、ＤＶＤやＢＤなどの光ディスク１とフラッシュメモリドライブ部１４の一部に録画することが出来る。
【００６１】
情報記録再生装置１００は、ＤＶＤやＢＤなどの光ディスク１に対して記録再生を行う光ディスクドライブを備える光ディスクチェンジャドライブ部１２と、フラッシュメモリに対して記録再生を行うフラッシュメモリドライブ部１４の２種類のドライブ部を備える。
【００６２】
フラッシュメモリドライブ部１４は例えばＳＳＤ（Ｓｏｌｉｄ  Ｓｔａｔｅ  Ｄｒｉｖｅ）であり、例えばデータ転送速度は数Ｇｂｐｓ（Ｇｉｇａ（ギガ）  ｂｉｔｓ  ｐｅｒ  ｓｅｃｏｎｄ）という、ＨＤＤと比べても非常に高速にデータ転送を行うことができるという特徴がある。しかし一方で、容量当たりの単価（ビット単価）は光ディスクやＨＤＤと比べると非常に高価である。具体的には、２０１０年現在で光ディスク（ＢＤ）メディアやＨＤＤが市販価格で１ＧＢｙｔｅ（ギガバイト）あたり５円前後であるのに対して、ＳＳＤの中では比較的安価なＭＬＣ（Ｍｕｌｔｉｐｌｅ  Ｌｅｖｅｌ  Ｃｅｌｌ）型ＳＳＤでも、数百円程度と非常に高価である。今後ＳＳＤの価格は下落していく予想であるが、それでもまだ当分の間はビット単価が光ディスク１やＨＤＤよりも安くなることは無いと予想されている。そのため、ＡＶレコーダ装置のような民生用記録再生装置において、ＨＤＤほどの大容量のＳＳＤを搭載することは、当分の間、コスト面で現実的ではない。具体的には、例えば現時点で言えば、民生用記録再生装置に搭載されるＨＤＤの容量が５００ＧＢｙｔｅ〜数ＴＢｙｔｅ（テラバイト）であるのに対して、フラッシュメモリドライブ部１４のサイズは数十ＧＢｙｔｅから１００ＧＢｙｔｅ前後が妥当な容量だと思われる。
【００６３】
フラッシュメモリドライブ部１４は、バッファ領域９１と、一時保存領域９２と、記録データ管理領域９３を備える。
【００６４】
バッファ領域９１は、記録再生するデジタルデータのキャッシュ、データ転送用バッファとして用いられる領域である。つまりバッファ領域９１は、従来装置である情報記録再生装置２００のデータ制御部２１６が備えるバッファメモリ２３４が担っていた、記録再生時における光ディスクドライブ部２１２やハードディスクドライブ部２１４との間のデータの流れの緩衝としての役割を果たす領域である。ＤＲＡＭに比べればビット単価の安いフラッシュメモリをメモリ素子として用いるフラッシュメモリドライブ部１４の一部を使用するため、バッファメモリ３４と比べてより大容量のバッファ・キャッシュ領域を割り当てることが可能である（例えば、バッファメモリ３４のサイズが数十ＭＢｙｔｅ（メガバイト）から数百ＭＢｙｔｅ程度であったのに対して、フラッシュメモリドライブ部１４のバッファ領域９１として確保可能なサイズは例えば十数ＧＢｙｔｅ程度と、約１０００倍程度のサイズを確保可能となる）。しかしながら、このサイズは、光ディスク１が備えうる最大の記録容量（例えば、現在市販されている光ディスクの最大記録容量は、記録層を３層備えたＢＤＸＬの１００ＧＢｙｔｅ程度）よりは小さいサイズである。そのため、例えば光ディスク１に記録されているデータを他の光ディスク１へダビングするような場合を考えると、バッファ領域９１は全てのダビングデータをキャッシュしておくのには十分な記録容量は備えていない。そのため、ダビング処理には工夫が必要となる。なお、このダビング処理については、後述の実施の形態２や実施の形態３において詳しく説明する。
【００６５】
一時保存領域９２とは、従来装置である情報記録再生装置２００のハードディスクドライブ部２１４の役割を一部担う領域で、タイムシフト録画や、一度見たら消去するような番組、或いはお気に入りで頻繁に再生する番組などの一時記録を目的としたデータを格納するための領域である。フラッシュメモリドライブ部１４はデータ転送速度が非常に高速であるため、高速記録・高速再生に適しているが、上述した通りコストの点で大容量ＳＳＤの搭載は困難である。そのため、この一時保存領域９２の容量もハードディスクほどの大容量化は困難であるため、ここに格納可能な番組等のデータは、一部のものだけに限定される。つまり、従来ハードディスクに記録されていた一時記録用のその他の大部分の番組データなどは、従来アーカイブやバックアップ用として主に使用されていた光ディスク１に記録されることになる。
【００６６】
記録データ管理領域９３は、情報記録再生装置１００内に記録されているデータ等の再生処理高速化を目的とした領域である。記録データ管理領域９３には、一時保存領域９２だけでなく、光ディスクチェンジャドライブ部１２において光ディスク１に録画（記録）された番組タイトルなどの管理情報を格納している。さらには、情報記録再生装置１００に記録されている各コンテンツの先頭部分の映像データや、番組が記録されている記録媒体に関する情報（フラッシュメモリか、光ディスク１か、また光ディスク１の場合は、どのディスク（カートリッジ／マガジン）かといった情報）などを格納している。つまり、情報記録再生装置１００における番組頭出し（映像出力）の高速化を目的とした管理情報を格納するための領域である。これにより、例えば録画コンテンツの一覧表示などを非常に高速に実施することが出来るという効果がある。
【００６７】
なお記録データ管理領域９３は、少なくとも現時点で情報記録再生装置１００に記録されているコンテンツに関する情報を保持するが、それ以外の情報を備えていても良い。具体的には例えば、以前使用されていたが現在は交換され棚管理されているディスクマガジン１２０（詳細は後述する）に格納されているコンテンツに関する情報を保持したりしても良い。
【００６８】
光ディスクチェンジャドライブ部１２は、複数の光ディスク１を装着可能で、ユーザの手を介して1枚１枚ディスク交換を行わずとも、複数の光ディスク１に対して自動的に録画再生が可能という特徴を持つ。そのため、ＨＤＤと比べた場合の、光ディスク１の弱点の一つであった記録容量の大きさについても、複数の光ディスク１を装着可能とすることで克服できる。そのため、上述したように、アーカイブやバックアップ対象データだけでなく、従来のハードディスクドライブ部２１４（ＨＤＤ）が担っていた一時記録用記録媒体としての役割も担う。
【００６９】
また、ＨＤＤと比べた場合の、光ディスク１のもう一つの弱点である、記録再生等のアクセス可能となるまでの光ディスク１の起動（ロード）時間の長さ（遅さ）についても、フラッシュメモリドライブ部１４が備えるバッファ領域９１や記録データ管理領域９３によってカバーすることで克服できる。
【００７０】
また、情報記録再生装置１００は、データ制御部１６を備える。このデータ制御部１６は、光ディスクチェンジャドライブ部１２、フラッシュメモリドライブ部１４に記録データを供給し、また、光ディスクチェンジャドライブ部１２、フラッシュメモリドライブ部１４から読み出された再生データを受け取る。データ制御部１６は、例えば、集積回路（ＬＳＩ）という形で実装される。
【００７１】
また、情報記録再生装置１００は、エンコーダ部３０、デコーダ部５０、マイクロコンピュータ部７０を備えている。エンコーダ部３０には、選択回路２０を介して、ＡＶ入力部１８ａからの外部アナログビデオ信号と外部アナログオーディオ信号が入力される。また、エンコーダ部３０には、選択回路２０を介して、地上波アナログチューナ１８ｃ、地上波デジタルチューナ１８ｂなどからの受信信号が選択的に入力される。例えば、この情報記録再生装置１００は、地上波デジタルチューナ１８ｂで受信した番組をフラッシュメモリドライブ部１４により録画しつつ、同時に、地上波アナログチューナ１８ｃで受信した番組を光ディスクチェンジャドライブ部１２の光ディスク１に記録したり、光ディスクチェンジャドライブ部１２の光ディスク１から読み出したデータをデコーダ部５０により再生したりすることができる。また、例えば地上波デジタルチューナ１８ｂは、２チャンネルの番組を同時に受信出力可能な、いわゆるダブルチューナとし、上記選択回路２０により、要求に応じて２番組を同時に選択可能である。
【００７２】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。
【００７３】
またエンコーダ部３０からのエンコード出力信号は、データ制御部１６に備えられるフォーマッタ３２にて所定のデータフォーマット（例えばＤＶＤのデータフォーマット）に変換される。なお、フォーマッタ３２には、バッファメモリ３４が接続されており、フォーマッタ３２によるデータフォーマット変換時などに、エンコード出力信号が一時的にバッファリングされる。具体的には、例えば、エンコードされたデジタルビデオ信号、デジタルオーディオ信号、副映像データは、フォーマッタ３２にてパック化され、ビデオパック、オーディオパック、副映像パックとなる。さらにこれらのパック化されたデータが集合されて、ＤＶＤ-ビデオ規格で規定されたフォーマット（ＤＶＤ Ｖｉｄｅｏフォーマット）や、ＤＶＤ-レコーディング規格で規定されたフォーマット（ＤＶＤ ＶＲフォーマット）に変換される。さらにバッファメモリ３４は、光ディスクドライブ部２１２やハードディスクドライブ部２１４から読み出したデータの内容確認、データ整形などの作業領域として使用されたりもする。しかし一方でバッファメモリ３４は、従来装置におけるバッファメモリ２３４のように記録再生時における光ディスクチェンジャドライブ部１２やフラッシュメモリドライブ部１４との間のデータの流れの緩衝としての役割は殆ど担わない。この緩衝としての役割は、上述したように、フラッシュメモリドライブ部１４におけるバッファ領域９１が、主として担う。
【００７４】
なお、トランスポートストリームから抽出したパケットエレメンタリーストリームが、エンコーダ部３０から光ディスクチェンジャドライブ部１２やフラッシュメモリドライブ部１４の一時保存領域９２に記録される場合もある。
【００７５】
データ制御部１６におけるフォーマッタ３２で変換されたフォーマットデータ（ビデオ、オーディオ、副映像データなどのパック）及び作成された管理情報は、フラッシュメモリドライブ部１４あるいは光ディスクチェンジャドライブ部１２に供給され、フラッシュメモリあるいは光ディスク１に記録される。またフラッシュメモリあるいは光ディスク１に記録されたフォーマットデータ及び管理情報は、データ制御部１６、光ディスクチェンジャドライブ部１２を介して光ディスク１あるいはフラッシュメモリに記録することもできる（フラッシュメモリ→光ディスク１、もしくは、光ディスク１→フラッシュメモリ）。
【００７６】
また、データ制御部１６は、フラッシュメモリあるいは光ディスク１に記録されている番組データを構成するビデオオブジェクトの一部を削除したり、異なる複数の番組を構成するビデオオブジェクトの一部をつなぎあわせたりする編集処理を行うこともできる。
【００７７】
マイクロコンピュータ部７０は、ＭＰＵ（マイクロプロセッシングユニット）と、制御プログラム等が書きこまれたＲＯＭと、プログラム実行に必要なワークエリアを提供するためのＲＡＭとを備えている。
【００７８】
マイクロコンピュータ部７０の実行結果のうち、ユーザに通知すべき内容は、情報記録再生装置１００の表示部７４に表示されるか、または情報記録再生装置１００に接続されるモニターディスプレイ（図示せず）にＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００７９】
また、マイクロコンピュータ部７０は、システムタイムクロックを基にした時間データに基づいて、光ディスクチェンジャドライブ部１２、フラッシュメモリドライブ部１４、データ制御部１６、エンコーダ部３０、デコーダ部５０などを制御する。
【００８０】
また、マイクロコンピュータ部７０にはキー入力部７６からの操作入力信号が入力される。このキー入力部７６は、例えば情報記録再生装置１００の本体上に設けた操作スイッチ類及び本体から独立したリモートコントローラである。或いは、このキー入力部７６は、情報記録再生装置１００と有線通信あるいは無線通信により接続されるパーソナルコンピューターであってもよい。
【００８１】
デコーダ部５０は、デジタルアナログ変換器（図示せず）を介してデジタルビデオ信号をアナログビデオ信号へ変換し、外部（例えばモニタ）へ出力したりする。もしくは、デジタル家電向けインタフェースであるＨＤＭＩを介して、デジタルビデオ信号のまま外部へ出力したりする。
【００８２】
また、この情報記録再生装置１００は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（例えばＤＶＤの場合は１６セクタ。１セクタは２ＫＢｙｔｅであり、１ＥＣＣは３２ＫＢｙｔｅ。）の倍数の情報が記録される。
【００８３】
データ制御部１６は、エンコーダ部３０からＶＯＢＵ単位のデータを受け取り、ＶＯＢＵ単位のデータからＣＤＡ単位のデータを生成し、ＣＤＡ単位のデータをフラッシュメモリドライブ部１４、あるいはフラッシュメモリドライブ部１４のバッファ領域９１を介して光ディスクチェンジャドライブ部１２に供給され、フラッシュメモリ、あるいは光ディスク１に記録される。またマイクロコンピュータ部７０のＭＰＵは、記録したデータを再生するのに必要な管理情報を作成し、データ記録終了のコマンドを認識すると、作成した管理情報をデータ制御部１６に送る。これにより、管理情報が例えばフラッシュメモリ、あるいは光ディスク１に記録される。
【００８４】
図１は、本発明の実施の形態における光ディスクチェンジャドライブ部１２の構成を示すブロック図である。図１（ａ）は光ディスクチェンジャドライブ部１２の筐体を側面側から見た断面図形式に記載した図であり、図１（ｂ）は光ディスクチェンジャドライブ部１２の筐体外観を斜め正面側から見た図である。
【００８５】
図１（ａ）に示すように、光ディスクチェンジャドライブ部１２は、ディスクトレイ１１０と、ディスクマガジン１２０と、トラバースユニット１３０と、回路基板１４０とを備える。
【００８６】
ディスクトレイ１１０は通常の光ディスクドライブにおけるトレイに相当する。つまりディスクトレイ１１０は、１枚のみ光ディスクを装着可能で、ユーザの要求に応じて光ディスクチェンジャドライブ部１２の筐体内部に挿入、外部に排出されるトレイローディング方式（トレイ式）の機構であり、図１（ｂ）に示す奥行き方向にスライドする。具体的には、光ディスク１を光ディスクチェンジャドライブ部１２から排出する際には、筐体の外側方向（図１（ａ）のトラバースユニット１３０から離れる方向）にスライドして排出される。反対に、光ディスクチェンジャドライブ部１２に光ディスク１が挿入される場合には、図１（ａ）に記す位置（この位置を、ディスクトレイ１１０の待機位置と呼ぶこととする）に光ディスク１を備えたディスクトレイ１１０がスライドして引き込まれ、収納される。さらに、挿入された光ディスク１に対してデータの記録再生（アクセス）を行う際には、図３（ａ）に示すように、ディスクトレイ１１０は筐体の奥側方向（図１（ａ）のトラバースユニット１３０に近づく方向）の、トラバースユニット１３０がアクセス可能な位置までスライドして引き込まれ、トラバースユニット１３０によってアクセスされる。その後、アクセスが完了した場合や、ディスクマガジン１２０に装着された別の光ディスク１へアクセスが発生する場合などは、ディスクトレイ１１０は再び図１（ａ）の記す位置に戻される。
【００８７】
ディスクトレイ１１０は、装着された光ディスク１に対してトラバースユニット１３０がアクセスできるように、少なくとも、装着された光ディスク１の中央に相当する位置、およびトラバース上に相当する半径方向に穴が開いた（開口した）形状になっている。
【００８８】
ディスクマガジン１２０は、複数の光ディスク１を装着（格納）可能なカートリッジ式のマガジンである。ディスクマガジン１２０はユーザの手、もしくはロボットアームなどの外部機構のような外的な動力によって光ディスクチェンジャドライブ部１２に直接セット（装着）されるものである。つまりディスクトレイ１１０のように筐体の内外に自由に挿入・排出される機構とは異なる。
【００８９】
ディスクマガジン１２０は、光ディスク１を１枚装着できるマガジントレイ１２１を１つ以上、複数個備えることが可能であり、その結果ディスクマガジン１２０には複数の光ディスク１を備えることが出来る。つまりあたかも、見た目はディスクマガジン１２０に装着された枚数分の光ディスク１を足しあわせたデータ記録容量を持つ１つの記録媒体のように扱うことが出来る。つまりディスクマガジン１２０は、従来の情報記録再生装置２００におけるハードディスクドライブ部２１４の代わりと言うことも出来る。加えてディスクマガジン１２０は従来のＡＶレコーダ装置におけるハードディスクのように着脱不能ではなく、ユーザの手によって自由に装着・着脱可能である。そのため、例えばディスクマガジン１２０に備えた複数の光ディスク１の記録容量を使い尽くしてしまったような場合には、新しい光ディスク１を装着した別のディスクマガジン１２０と取り替えるといった使い方も可能になる。こうすることでユーザは、過去にディスクマガジン１２０内の光ディスク１に記録したデータを残したままで、新たなディスクマガジン１２０に取り替えることが出来るようになる。つまり、あたかも情報記録再生装置１００の使用途中で、記録容量を増設したかのように扱うことが可能となる。また、ユーザが、従来のＡＶレコーダ装置を買い換えたとき、ハードディスクの中のコンテンツの移動に苦労したが、この情報記録再生装置１００であれば、ユーザがディスクマガジン１２０を付け替える（入れ替える）だけでよい。
【００９０】
なお、マガジントレイ１２１もディスクトレイ１１０と同様、装着された光ディスク１に対してトラバースユニット１３０がアクセスできるように、少なくとも、装着された光ディスク１の中央に相当する位置、およびトラバース上に相当する半径方向に穴が開いた（開口した）形状になっている。
【００９１】
なお図１に示す例では、ディスクマガジン１２０は５枚のマガジントレイ１２１を備えた形、つまり光ディスク１を５枚装着可能な形状として記載したが、このディスクマガジン１２０に装着可能な光ディスク１の枚数（つまり、ディスクマガジン１２０に備えられるマガジントレイ１２１の枚数）は１枚以上であれば任意である。極端に言えば、１度に１００枚の光ディスク１を装着可能な構成にしても良い。但しディスクマガジン１２０にマガジントレイ１２１を多く備えれば備えるほど、マガジン全体の記録可能容量は大容量化することが出来るが、反対にディスクマガジン１２０が厚く（大きく）なってしまい、情報記録再生装置１００の大型化につながる。つまり、情報記録再生装置１００の使用形態に応じた適切な枚数に設計されれば良い。
【００９２】
ユーザ（あるいは外部機構）によって光ディスクチェンジャドライブ部１２にディスクマガジン１２０がセットされた状態が、図１（ａ）に記す状態である。またディスクマガジン１２０内のマガジントレイ１２１も、ディスクトレイ１２０と同様、装着された光ディスク１に対してのアクセス時にはスライドする。具体的には、あるマガジントレイ１２１に装着された光ディスク１にアクセスを行う場合には、図３（ｂ）に示すように、トラバースユニット１３０がアクセス可能な位置まで、筐体の奥側の方向にマガジントレイ１２１が引き込まれ、トラバースユニット１３０によって光ディスク１がアクセスされる。その後、アクセスが完了した場合や別の光ディスク１へアクセス発生時などの場合に、マガジントレイ１２１は再び図１（ａ）の記す位置（この位置を、マガジントレイ１２１の待機位置と呼ぶこととする）に戻される。
【００９３】
更にディスクマガジン１２０は、ＩＣタグ１２２を備える。ＩＣタグ１２２は、例えば、電磁界や電波などを用いた近距離無線通信によって情報のやり取りを行うＲＦＩＤ（Ｒａｄｉｏ  Ｆｒｅｑｕｅｎｃｙ  ＩＤｅｎｔｉｆｉｃａｔｉｏｎ）タグなどである。ＩＣタグ１２２には、例えば、ディスクマガジン１２０内に装着されている光ディスク１に録画された番組コンテンツのタイトル情報などが記録される。これにより、ディスクマガジン１２０が情報記録再生装置１００から取り外されて棚管理されているような場合でも、ディスクマガジン１２０を情報記録再生装置１００にセットしなくとも、ＩＣタグ１２２から情報取得が可能となる。具体的には、例えば図１２に示すように、ＩＣタグ情報の読み出しが可能なリーダー装置１６０（情報記録再生装置１００のリモコンを兼ねてもよい）によって棚管理をしている状態で、ディスクマガジン１２０内の光ディスク１に記録されている番組情報などを認識することが可能となるため、ユーザの検索効率を上げることを可能とすることが出来る。
【００９４】
なお、ＩＣタグ１２２にタイトル情報が記録されるとしたが、ＩＣタグ１２２の識別番号だけが記録されていても棚管理は可能である。例えば、ディスクマガジン１２０のタイトル情報は、ＩＣタグ１２２の識別番号とともに、記録データ管理領域９３に格納しておく。情報記録再生装置１００にディスクマガジン１２０が装着されたとき、あるいは、リーダー装置１６０がディスクマガジン１２０にかざされたとき、ＩＣタグ１２２の識別番号が読み出される。読み出された識別番号は、リーダー装置１６０からは赤外線や無線などで情報記録再生装置１００に送られ、記録データ管理領域９３に保持されたデータと照合される。そして、対応するタイトル情報が、情報記録再生装置１００からリーダー装置１６０に返される。最終的に、タイトル情報がリーダー装置１６０に表示され、ユーザはマガジン１２０にあるタイトルを認識することができる。この場合、必要なのは識別情報だけでよいので、ＩＣタグ１２２として、バーコードのようなＩＣ以外のものでも構わない。
【００９５】
なお、図１２において記載したリーダー装置１６０の形態は、あくまで一例であり、ＩＣタグ１２２の情報を取得可能で、何らかの手段を介してでも表示可能であれば、このような良い。
【００９６】
ここで、ディスクマガジン１２０は、その構成に特徴がある。それは、ディスクマガジン１２０に装着された光ディスク１の取り出しには制限が設けられていることである。具体的にはディスクマガジン１２０は、ユーザが自由に光ディスク１を挿入（セッティング）することは容易に出来るが、装着された光ディスク１をディスクマガジン１２０から取り出すことは出来ない、或いは取り出すのが非常に困難な構成になっている。
【００９７】
挿入が容易な理由は、ユーザが必要とするデータ記録容量分だけ光ディスク１をセッティング可能とすることである。ユーザが、更なる記録容量が必要になった場合に、必要に応じて光ディスク１を増やすことが可能となる。このような構成にすることで、ユーザが情報記録再生装置１００を使用開始時には、その時点で必要な枚数だけディスクマガジン１２０に光ディスク１を装着した状態から使用可能となる。一般的に、光ディスク１の単価は、発売から日にちが経つにつれて、安くなる。つまりスモールスタートが可能となることに加えて、最終的にはコストダウンにも繋がる。更に一時記録にも用いられる光ディスクチェンジャドライブ部１２に装着された光ディスク１の残り記録可能容量が減った場合には、ディスクマガジン１２０に新たな光ディスク１を追加で装着するだけで、記録容量の増加（増設）が可能になる。あるいは、ディスクマガジン１２０ごと新しいものに置き換える場合でも、同様の効果が得られる。つまり、ユーザは、使用途中にでも簡単に、自分が必要とする分だけの記録容量の増加（増設）を行うことが出来るため、それぞれのユーザの使い勝手に対応することが容易となる。
【００９８】
一方でディスクマガジン１２０に装着した光ディスク１が、ユーザの手により取り出せない、或いは困難な構成である。例えば、ディスクマガジン１２０に１つ以上のロック機構を備え、同時に全てのロック機構を外さなければ、一度装着した光ディスク１が取り出せないという構成である。この構成をとる理由は、ユーザに不快感を与えないためである。例えば、１つの番組が、ディスクマガジン１２０内の複数の光ディスク１に跨って記録されているような場合を考えてみる。この場合に、その番組の一部が記録されている光ディスク１が排出され、その番組が残りの一部しか再生出来ないといった事態に陥り、視聴していたユーザはストレスをためることになる。番組を全部観たいユーザは、取り出されてしまった光ディスク１を探すことになろうが、一度光ディスク１をマガジンから取り出してしまうと、ユーザが保持する他の光ディスク１と取り出した光ディスク１とが混ざり合って、どの光ディスク１がディスクマガジン１２０に挿入されていた光ディスク１か分からなくなるような事態となり、ユーザは更にストレスを感じることになる。以上説明したように、ディスクマガジン１２０に一度装着した光ディスク１を取り出せない（または取り出しにくい）構成にするのは、こうしたユーザの不快感を防ぐ目的のためである。但し、当然、情報記録再生装置１００の光ディスクチェンジャドライブ部１２内においては、光ディスク１はディスクマガジン１２０から取り出され、後述するトラバースユニット１３０によって記録再生がなされる。つまり、情報記録再生装置１００内に備えた特殊な機構と制御情報との組み合わせで、上述した全てのロック機構を同時に外す仕組みなどによってのみ、ディスクマガジン１２０から光ディスク１を容易に取り出すことが出来る。
【００９９】
なお、光ディスク１へのデータの記録という観点から言えば、複数の光ディスク１へ跨った形でのコンテンツ記録は極力行わないように制御した方が好ましい。困難ではあるがディスクマガジン１２０から光ディスク１が抜き出される可能性はあるので、上述したようなユーザの不快感に繋がり得ることは避けるというのが、１つ目の理由である。他方の理由としては、例えばディスク跨りに伴い、同一コンテンツの再生中にディスク入れ替えなどが必要になるためであり、パフォーマンスの低下や制御の複雑化を招くためである。そのため、例えば予約録画など記録したい番組の時間（サイズ）が分かるような場合などには、情報記録再生装置１００に備えた複数の光ディスク１のうちの各ディスクの空き容量から、最も適切な形で記録できる光ディスク１を選択するといった制御を行っても良い。あるいは録画番組のサイズが分からないような場合にも、複数の光ディスク１の中で最も空き領域が多いディスクに記録するといった制御を行っても良い。あるいは、空き領域が細分化され、ファイルの配置が不連続になるような場合には、空き時間や夜間などを利用してデフラグを行い、連続した空き領域を作るような方法も有効である。また、異なる観点から見ると、記録先として選択した光ディスク１の空き領域のサイズに応じて、記録するコンテンツの圧縮率を調整し、空き領域内に全て収まるように記録を行うといった方法も有効である。
【０１００】
しかし、録画するコンテンツが１枚の光ディスク１に収まりきらないような場合など、複数の光ディスク１に跨った記録を完全に防ぐことは出来ないため、上述したように、跨り記録も考慮した設計が必要になる。
【０１０１】
なお、上述したディスクマガジン１２０からユーザの手による光ディスク１の取り出しが出来ない、或いは困難な構成というのは、装着される光ディスク１の種類によって異なっていても良い。具体的には、光ディスク１は大きく分けて３種類のディスクが存在する。再生専用媒体（ＲＯＭ）、一回のみ記録可能な追記型媒体（Ｒ）、そして書換え可能な書換型媒体（ＲＥ、またはＲＡＭ、ＲＷ）である。これらの種類毎に専用のディスクマガジン１２０を準備し、それぞれに応じてディスクマガジン１２０の特徴・構成を変えても良い。
【０１０２】
例えば、書換え可能な書換型媒体の場合、上述したようにユーザの手による光ディスク１の取り出しが出来ない、或いは困難な構成が好ましい。しかし一方で、再生専用のＲＯＭ媒体の場合には、上述したような複数の光ディスク１に跨った番組録画という事象は発生しないことに加えて、ユーザが再生したい光ディスク１を自由に差し替え可能な方が、ユーザにとっての使い勝手も良い。そのためＲＯＭ媒体専用のディスクマガジン１２０は、ユーザが光ディスク１を簡単に出し入れ可能な構成とするのが好ましい。同様に追記型媒体については、基本的には書換型媒体と同様の事象が起きるため書換型媒体と同じ構成が良いとも言える。しかし一方で、追記型媒体が主に利用される形態であるバックアップやアーカイブ用のダビング（詳細は実施の形態２以降で説明する）を考えると、ダビング記録された追記型媒体は、その後誰かに配布されたり、或いはユーザによってバックアップディスクとして保管されるのが一般的である。そのため、追記型媒体の場合は、ディスクマガジン１２０からユーザによって容易に取り出せる方が好ましい。よって基本的にはＲＯＭ媒体専用のディスクマガジン１２０と同様の構成が良いと考える。以上から追記型媒体専用のディスクマガジン１２０については、例えば、ダビング用とその他用途で異なる構成としても良い。
【０１０３】
なお例えば、ＲＯＭ専用、追記型媒体専用といった情報をＩＣタグ１２２に備え、ＩＣタグ１２２の情報に応じてディスクマガジン１２０の機構を制御することで、上述したような特徴を実現しても良い。具体的には、例えば、ディスクマガジン１２０の構成としてはＲＯＭ専用、追記型専用、書換型専用のいずれの場合も同じ装置構成とする。そして、例えば、ＩＣタグ１２２に書換型専用と設定された場合には、ディスクマガジン１２０に備えられている１つ以上のロック機構が自動的に設定されるようにしても良い。これにより、ユーザによるディスクマガジン１２０からの光ディスク１の取り出しを制限することが可能になる。このような構成にすることで、ディスクマガジン１２０をメディア種別によらず共通化できるため、ディスクマガジン１２０自体の低価格化に繋がり、ユーザメリットにも繋がる。或いは、ＩＣタグ１２２の情報から、ユーザがそのディスクマガジン１２０がどの媒体専用のマガジンかを識別できるようにしても良い。
【０１０４】
以上のような特徴により、例えばディスクマガジン１２０を情報記録再生装置１００から外して棚管理するような場合でも、ユーザはマガジン単位でディスクを扱うことになるため、紛失防止や、光ディスク１の汚れ防止、破損防止といった効果を得ることが出来る。さらにＩＣタグ１２２を備えることにより、ＩＣタグ情報の読み出しが可能なリーダー装置１６０によって、棚管理をしている状態で、ディスクマガジン１２０内の光ディスク１に記録されている番組情報などを認識することが可能となる。
【０１０５】
トラバースユニット１３０は、光ディスク１に対してデータの記録・読み出しを行うピックアップ１３１と、光ディスク１を駆動（回転）・停止させるスピンドルモータ１３２と、ピックアップ１３１を光ディスク１の径方向に移動させるトラバース１３３とから構成される。
【０１０６】
回路基板１４０は、光ディスクチェンジャドライブ部１２のトレイやメカ制御、記録・再生信号制御などを行うためのドライブ制御部１４１等を備えている。
【０１０７】
ここで、本発明の実施の形態１の情報記録再生装置１００に備えられる光ディスクチェンジャドライブ部１２の特徴について説明する。光ディスクチェンジャドライブ部１２は大きく２つの特徴を持っている。
【０１０８】
特徴の１点目は、図１（ｂ）を見ると明らかなように、光ディスクチェンジャドライブ部１２が、光ディスク１の装着口（装着機構）として大きく２つの機構を備える点である。１つがディスクトレイ１１０であり、もう一つがディスクマガジン１２０である。
【０１０９】
もし光ディスクチェンジャドライブ部１２がディスクトレイ１１０しか備えないとした場合は、従来装置同様、情報記録再生装置に格納可能な光ディスク１は１枚だけとなる。そのため、ＡＶレコーダ装置において、ＨＤＤのような大容量の一時記録用媒体を備えないとした場合、番組の一時記録用の記録容量としては不十分と言える。反対に光ディスクチェンジャドライブ部１２がディスクマガジン１２０しか備えないとした場合は、例えば映画コンテンツが格納された再生専用のＲＯＭ媒体の再生を行う場合にユーザの手間が増えてしまう。具体的には、再生するその都度、ディスクマガジン１２０を取り外してＲＯＭ媒体を装着した後、情報記録再生装置100の光ディスクチェンジャドライブ部１２に再びセットするといった作業が必要となり、従来装置と比べてユーザの操作性が悪化することになる。
【０１１０】
しかし特徴の１点目のように、ディスクトレイ１１０とディスクマガジン１２０という、光ディスク１の２つの装着機構を備える構成とすることで、これらの問題が解決できる。つまり、従来装置と比べてユーザの操作性の悪化に繋がらず、また大容量のＨＤＤを備えなくても、一時記録用に使用するのに十分な記録容量を確保した情報記録再生装置１００を提供することが出来るという効果が得られる。これにより、一時記録用にもデータの長期保存性に長けた光ディスクを使用することが可能となる。そのため、従来のＨＤＤ搭載型光ディスクレコーダの欠点であった、ダビング前の録画コンテンツが突然読み出せなくなってしまう、あるいは視聴前の録画コンテンツが読み出せなくなってしまうといった問題点を解決することが出来る。更に、装置を買い換えたときに、録画コンテンツの移動が煩わしいといった問題点も解決することができる。
【０１１１】
また、１点目の特徴によって得られるもう１つの別の効果がある。その効果とは、ある光ディスク１から、別の新しい光ディスク１に対してのダビング時に発生しうる、ユーザのミスを防ぐことが可能になるという点である。具体的には、光ディスク１には、デジタルビデオカメラやデジタルカメラなどで撮影した個人コンテンツデータが格納されている場合がある。例えば、この光ディスク１に記録された運動会の映像を、友人に配りたいといったケースを考える。この場合、運動会の映像が記録されたダビング元の光ディスク１から、別の光ディスク１へダビング（コピー）することになるが、この際、誤ってダビング元の光ディスク１を取り出してしまうことが予想される。
【０１１２】
より具体的には、上述した通り、キャッシュとして使用可能なフラッシュメモリドライブ部１４中のバッファ領域９１の記録容量は、光ディスク１の最大記録容量に満たない。そのため、光ディスク１に記録されたコンテンツを他の光ディスク１へダビングするような場合には、必ずダビング元の光ディスク１（つまりダビングするコンテンツが格納されている光ディスク１。以降、ダビング元ディスクと呼ぶ。）と、ダビング先の光ディスク１（つまり、これから新たにコンテンツをダビング記録する光ディスク１。以降、ダビング先ディスクと呼ぶ。）が、基本的には両方とも情報記録再生装置１００中に備えられている必要がある。
【０１１３】
もし光ディスクチェンジャドライブ部１２がディスクトレイ１１０しか備えないとした場合は、バッファ領域９１の記録容量が光ディスク１の記録容量に満たないという条件下において、自動的なダビングを行うことは出来ない。つまり、ダビングするためには、バッファ領域９１の記録容量の単位で、ダビング元ディスクとダビング先ディスクを、ユーザなどが手動で交換する必要がある。
【０１１４】
反対に光ディスクチェンジャドライブ部１２がディスクマガジン１２０しか備えないとした場合は、ダビングは実現できるが、この場合はディスクマガジン１２０内にダビング元ディスク・ダビング先ディスク両方がセットされている必要がある。ここで、ディスクマガジン１２０の全てのマガジントレイ１２１は光ディスク１が装着されており、ダビングするためには新しい未使用の光ディスク１をディスクマガジン１２０に装着する必要がある場合を考えてみる。この場合には、すでにディスクマガジン１２０に装着されている光ディスク１のうちの少なくとも１枚を取り出して、新しいダビング用の光ディスク１と交換する必要がある。この場合、ユーザが誤ってダビング元ディスクである光ディスク１を取り出してしまう、つまりユーザの操作ミスを引き起こしてしまう可能性がある。
【０１１５】
これに対して、１つ目の特徴に記載したような構成とすることで、ダビングについてもユーザの操作ミスを防ぐといった効果も得られる。具体的には、例えばディスクトレイ１１０にダビング元ディスクを、ディスクマガジン１２０にダビング先ディスクを装着するといった使い方が可能になる。これにより、誤ってダビング元ディスクを取り出して別の光ディスク１に取り替えてしまうといったミスを防ぐことが可能になる。更にこの場合は、最大でディスクマガジン１２０に装着可能な光ディスク１の枚数分だけ、同じコンテンツのダビングをまとめて行うことが可能になる。
【０１１６】
なお、ダビング時の情報記録再生装置１００の使用方法はこれに限ったものではない。例えばダビング先ディスクをディスクトレイ１１０に装着し、ディスクマガジン１２０内の光ディスク１に格納されているコンテンツをダビング先ディスクにダビングするといった使い方でも良い。あるいは、図１３に示すように、ディスクトレイ１１０にダビング元ディスクとして５つのコンテンツが記録された１枚のＢＤディスクを装着し、更にダビング先ディスクとしてディスクマガジン１２０に５枚のＤＶＤディスクを装着して、１つのコンテンツごとに別のＤＶＤに分けてダビングする（分割する）といった使い方も可能である。
【０１１７】
あるいは逆に、複数のＤＶＤに分かれて録画されたデータを、容量の多いＢＤにまとめてダビングする（集約する）といった使い方も可能である。具体的には、ディスクマガジン１２０に同じシリーズ番組が録画された複数のＤＶＤを装着し、それらの番組データをまとめて、ディスクトレイ１１０に装着されたダビング先ディスクであるＢＤにダビングするといった使い方も可能である。
【０１１８】
更に、１点目の特徴によって得られるもう１つ別の効果がある。その効果とは、セキュリティを強化することが可能になるという効果である。
【０１１９】
具体的には、ディスクトレイ１１０に装着される光ディスク１と、ディスクマガジン１２０に装着されるディスクマガジン１２０とを対応付けて管理するという方法である。より具体的には、例えば、ディスクマガジン１２０に装着された１枚以上の光ディスク１にアクセスするために必要な特殊情報を備えた光ディスク１を準備する。そして、この特殊情報を備えた光ディスク１とディスクマガジン１２０の両方が揃わないと、ディスクマガジン１２０に対して記録再生等のアクセスが出来ないといった制御を行うことが可能になる。より具体的には、例えば、ディスクマガジン１２０に装着された光ディスク１に記録するデータを暗号化するための暗号化鍵情報を特殊情報として備えた特殊光ディスクを用意する。そして、ディスクマガジン１２０に装着された光ディスク１への記録時には、特殊光ディスクをディスクトレイ１１０に装着して記録を行う。このようにすることで、ディスクマガジン１２０に記録されたデータを再生する際には、記録されたデータの復号用に、暗号化鍵情報を特殊情報として備えた光ディスク１をディスクトレイ１１０に備えておかないと再生できないように制御することが可能になる。
【０１２０】
あるいは、ディスクマガジン１２０に装着された光ディスク１のコンテンツに関する管理情報を、ディスクトレイ１１０に備えた光ディスク１に記録しておくという方法も可能である。ここで管理情報とは、例えば、ディスクマガジン１２０に記録されたコンテンツに関するファイルシステム情報や、タイトル情報などのＴＯＣ情報などである。これにより、ディスクマガジン１２０に装着された光ディスク１のコンテンツ情報を再生する場合には、それらの管理情報が記録された光ディスク１をディスクトレイ１１０に装着しないと再生できないといった制御も可能になる。
【０１２１】
以上のように、情報記録再生装置１００（もしくは光ディスクチェンジャドライブ部１２）において、必ず特殊情報や管理情報が記録された光ディスク１と、その光ディスク１に対応するディスクマガジン１２０とが揃わないと記録再生出来ないように制御することも可能となる。そのため、例えば、ディスクマガジン１２０が何らかの理由で盗難、もしくは紛失してしまった場合でも、ディスクマガジン１２０に記録されたコンテンツやデータが他人に見られるような事態を防ぐことが出来る。つまり、情報記録再生装置１００において記録されたデータに対するセキュリティレベルを強化することが可能となる。
【０１２２】
なお、セキュリティレベルを強化するような使い方は、民生用のＡＶレコーダ装置に限らず有効である。具体的には、例えば、本発明の実施の形態１に記載した仕組みを、ＮＡＳ（Ｎｅｔｗｏｒｋ  Ａｔｔａｃｈｅｄ  Ｓｔｏｒａｇｅ）のような業務用のデータアーカイブ装置に適用することも可能である。このような装置は、例えば、医療用（カルテや診察結果など）の記録装置や、自治体用（住民票データのような個人データなど）の記録装置など、機密性の高いデータ管理用の記録装置として使用しても、同様の効果が期待できる。
【０１２３】
なお、上記ではディスクトレイ１１０に装着される光ディスク１と、対応するディスクマガジン１２０とが揃わないと、全てのコンテンツの再生が出来ない場合について記載したが、これに限ったものでは無い。具体的には、例えば、ディスクマガジン１２０に記録されたコンテンツのうちの大半のデータは、ディスクトレイ１１０に所定の光ディスク１が装着されなくとも再生可能とする。しかし、ある一部のデータは、ディスクトレイ１１０に所定の光ディスク１が装着されないと読み出せないといった使い方でも良い。この利点は、産業スパイの立場になって想像すると分かる。ディスクマガジン１２０の全てのコンテンツが再生できないというのは不自然である。従って、そこに重要な情報が隠されてあり、何処かに鍵があると感づかれてしまう。一方、タイトル表示されたコンテンツは再生できるなら、一見自然に見えるので、タイトル表示されていない他のコンテンツが隠れていると感づかれ難い。一般コンテンツは見せて、あるコンテンツだけを隠す方が、セキュリティは高くなるのである。
【０１２４】
更に、１点目の特徴によって得られる更に別の効果がある。その効果とは、光ディスクチェンジャドライブ部１２、つまりは情報記録再生装置１００の大きさ（サイズ）をコンパクトにすることが出来るという効果である。
【０１２５】
具体的には、光ディスクチェンジャドライブ部１２の中で、光ディスク１が装着されているトレイから別のトレイへといった入れ替えを行う必要が無い。つまり、光ディスクチェンジャドライブ部１２おいて、ディスクトレイ１１０とディスクマガジン１２０との間での、光ディスク１の受け渡しに制限が設けられている。そのため、図１（ｂ）に示すように、装着される光ディスク１に対して水平方向のサイズである幅：Ｘ、及び奥行き：Z（図１（ａ）では横方向のサイズに相当）を、光ディスク１の直径２枚分のサイズよりも短くすることが出来る。より具体的には、光ディスクチェンジャドライブ部１２によって制御可能な通常のＣＤやＤＶＤ、ＢＤの最大の直径サイズは１２ｃｍである。つまり光ディスクチェンジャドライブ部１２の筐体の幅のサイズ、及び奥行きサイズは、２４ｃｍ未満にすることが出来る。
【０１２６】
ＡＶレコーダ装置などの設置スペースは、テレビ台の中であるとか棚の中など、場所を取らずにコンパクトに抑えたいというユーザのニーズは強いため、情報記録再生装置１００のサイズを小さく出来ることは、ユーザメリットにも繋がる。
【０１２７】
なお光ディスクチェンジャドライブ部１２の高さ：Ｙについては、通常は幅や奥行きと同様に光ディスク１の直径２枚分のサイズよりも短いが、任意のサイズに設計すれば良い。具体的には、上述した通り、ディスクマガジン１２０に装着可能な光ディスク１の枚数に応じて高さは変わってくることになる。つまり、ＡＶレコーダ装置といった民生用途の情報記録再生装置１００の場合、設置スペースを考慮すると、高さ（厚み）もあまり高く（厚く）ない方がユーザにとっては好ましい。しかし反対にスペースよりも記録容量を求めるユーザに対しては、高さ（厚み）を高く（厚く）してでも、より多くの光ディスク１を装着可能したいといったニーズもあるためである。
【０１２８】
特徴の２点目は、光ディスクチェンジャドライブ部１２が備える２つの光ディスク１の装着機構であるディスクトレイ１１０、およびディスクマガジン１２０に装着された光ディスク１に対して、同一のトラバースユニット１３０が光ディスクチェンジャドライブ部１２内を上下に動作してアクセスを行うという点である。光ディスクチェンジャドライブ部１２は、トラバースユニット１３０を、光ディスクチェンジャドライブ部１２の筐体の中を上下（図１（ａ）の上下方向に相当）に動かすための機構（図示せず）を備える。これによりディスクチェンジャドライブ部１２は、同一のトラバースユニット１３０によって、ディスクトレイ１１０によって装着される光ディスク１、およびディスクマガジン１２０のマガジントレイ１２１によって装着される複数の光ディスク１という全ての光ディスク１に対してデータの記録再生を行うことが可能となる。そのため、光ディスクチェンジャドライブ部１２、つまりは情報記録再生装置１００の小型化や軽量化、装置構成の簡素化、コストダウンといった効果が得られる。
【０１２９】
なお、光ディスクチェンジャドライブ部１２が備える２つの光ディスク１の装着機構であるディスクトレイ１１０、および、ディスクマガジン１２０のマガジントレイ１２１を用いて、装着された光ディスク１に対して、同一のトラバースユニット１３０によりアクセスが可能という特徴が満たされる限りにおいては、光ディスクチェンジャドライブ部１２が備えるトラバースユニット１３０の数（個数）は任意である。上述した通り、トラバースユニット１３０の数を１つとすることで、装置の小型化やコストダウンといったメリットが得られるが、トラバースユニット１３０の数を増やせば同時に複数の光ディスク１にアクセス可能となるため、録画・再生などの処理パフォーマンスが向上するといったメリットが得られることになる。トラバースユニット１３０の個数の大小は、本発明の特徴には影響を与えないため、どちらのメリットを優先するかによって任意の個数に設計されれば良い。なお、トラバースユニット１３０を２つ備えた構成については、後述の本発明の実施の形態３において、図１０などを用いて説明を行うため、ここでのこれ以上の説明は省略する。
【０１３０】
なお、本発明の実施の形態１では、ディスクトレイ１１０をトレイローディング方式の機構として説明したが、この形態に限定されるものでは無い。具体的には、例えば挿入口にディスクをそのまま押し込むスロットイン方式など、ユーザが光ディスク１を１枚毎に直接挿入・排出できる機構であれば、同様の効果を得ることが出来る。
【０１３１】
なお、本発明の実施の形態１では、光ディスクチェンジャドライブ部１２に装着可能なディスクマガジン１２０の数は１つとして説明を行ったが、これに限ったものでは無い。具体的には、ディスクトレイ１１０とディスクマガジン１２０という２つの光ディスク１の装着口（装着機構）を備えるという構成が満たされる限りにおいては、光ディスクチェンジャドライブ部１２に装着可能なディスクマガジン１２０の個数は任意である。光ディスクチェンジャドライブ部１２は例えばディスクマガジン１２０を２つ装着可能であったりしても良い。
【０１３２】
なお、ＩＣタグ１２２はディスクマガジン１２０に備えられる形として説明を行ったが、このカタチに限ったものでは無い。具体的には例えば、光ディスク１の１枚１枚に備えられたりしても良い。
【０１３３】
なお、ディスクマガジン１２０は、従来装置におけるハードディスクの代わりのように扱うことが出来ると記載したが、更に従来のＨＤＤ（ハードディスク）などの記録媒体では実現し得なかった使い方も可能となる。
【０１３４】
具体的には、ＨＤＤはドライブ（ピックアップ等の記録再生装置）とディスク（記録メディア）とが一体型であるため、例えば５００ＧＢｙｔｅの記録容量を備えたＨＤＤが故障してしまった場合、この５００ＧＢｙｔｅのデータは基本的に全て壊れてしまい読み出せなくなってしまう。一方で例えば１００ＧＢｙｔｅの書換え型ＢＤＸＬ−ＲＥを５枚備えた記録総容量５００ＧＢｙｔｅのディスクマガジン１２０の場合、ドライブとディスクが別々であることに加えて、ディスクも１枚１枚が完全に独立したものとして扱うことが可能である。つまり、もし万が一何らかの理由である１枚の光ディスク１が壊れてデータが読めなくなってしまったような場合であっても、残る４枚の光ディスク１には全く影響は無い。つまり、５００ＧＢｙｔｅのうちの４００ＧＢｙｔｅのデータは問題なく読み出すことが出来るといった特徴を持つ。
【０１３５】
そのため例えば、ディスクマガジン１２０に１０枚の光ディスク１を装着可能であるとして、その１０枚の光ディスク１を５枚と５枚のセットに分け、記録可能容量としては光ディスク５枚分の容量を持った記録媒体として扱う。そして一方のセットをメインで使用し、もう一方のセットをメインセットのミラーとして使用するといった、例えばＲＡＩＤ１のような使い方も可能となる。つまり一時記録用に使用される記録媒体（ディスクマガジン１２０）の中においてミラーリングなどの処理を行うといった、ディスクマガジン１２０内において任意の形で冗長度を上げた、よりデータの信頼性を高めた使い方も可能となる。このミラーリングにおいては、トラバースユニット１３０を２つ持つ構成が望ましい。但し、夜中などの装置が使われていない時間を利用して、もう一方のセットにコピーをとるのであれば、トラバースユニット１３０は１つでもよい。
【０１３６】
なお、ディスクマガジン１２０に備えられた光ディスク１をまとめて１つの記録媒体として見なすという説明を行ったが、全体の記録容量の観点ではそのように扱うが、その使用方法はこの形に限ったものでは無い。例えば、複数の光ディスク１を装着可能なディスクマガジン１２０において、それを複数人で使い分けるといった使い方も可能である。具体的には、５枚の光ディスク１が装着可能なディスクマガジン１２０を、家族５人で使い分ける、つまり個人単位で１枚の光ディスク１に番組を録画するといった使い方も可能である。あるいは、５枚の光ディスク１を家族３人で使い分け、一番多く録画をするお父さん用には３枚を割り当て、お母さんと子ども用には１枚ずつ割り当てるといった使い方も可能である。このように、光ディスク１を個人単位に割り当てるような場合には、使い方に応じて任意に割当て可能である。このようにすることで、例えば、上述したセキュリティ強度を個人単位で使い分けられるというメリットがある。更には、上述した医療用途などの業務用を考えてみても、個人単位で光ディスク１に記録するデータを分けることで、万が一の場合のリスク分散が可能になるといった効果もある。なお、ここでは個人単位で使い分ける場合の説明を行ったが、例えば番組の放送局やジャンル、あるいは録画頻度などに応じて使い分けるといった方法でも、同様の効果を得ることが出来る。
【０１３７】
なお、記録データ管理領域９３には、光ディスクチェンジャドライブ部１２において光ディスク１に録画（記録）された各番組の先頭部分のコンテンツデータなどを備えると記載した。これは、例えば光ディスク１の起動（ロード）時間など、光ディスク１へのアクセス不能時間の再生処理をキャッシュ実行する目的である。仮に光ディスク１の起動（ロード）時間が３０秒であるとすれば、例えば、光ディスクチェンジャドライブ部１２に格納されている光ディスク１に録画された各番組の先頭約３０秒のデータをフラッシュメモリドライブ部１４の記録データ管理領域９３に格納しておく。こうすることで、光ディスク１のロード中であってもコンテンツの連続再生を実現出来る。つまり、光ディスク１のロードが完了するまでは記録データ管理領域９３に格納されたデータを再生し、ロード完了後には光ディスク１からデータを再生する。このように制御することで、ユーザに対しては、再生コンテンツを画像が途切れることなくシームレスに見せることが可能になる。
【０１３８】
なお、記録データ管理領域９３に格納しておくデータは、番組の先頭データだけとは限らず、光ディスク１の入れ替えなどアクセス不能時間がある程度長く必要になる場合のデータを備えておくと効果的である。例えば、ディスクマガジン１２０中の２枚の光ディスク１に１つのコンテンツを跨いで録画したような場合、跨ぎ直後のコンテンツ部分のデータを、光ディスク１と記録データ管理領域９３との両方に格納しておく（二重化しておく）といった場合にも、同様の効果を得ることが出来る。
【０１３９】
なお、上記でも少し触れたが、ディスクマガジン１２０に装着された複数の光ディスク１に分散して録画された番組や、跨って録画された番組などを、別の光ディスク１にまとめて記録しなおすといった使い方も有効である。例えば、連続した空き領域を作るデフラグが行われていないような状態や、使用過渡期の状態では、ディスクマガジン１２０に装着された光ディスク１の中に使用可能な空き領域が分散して点在している場合が発生しうる。このような状況において、シリーズもののドラマなどの番組を続けて録画した場合は、それらの番組は、１回の番組としては同じ光ディスク１に記録されるかもしれないが、シリーズ全てという観点で見ると、複数の光ディスク１に分散して記録される可能性が高い。そこで、分散して録画された番組を１つの光ディスク１にまとめて記録しなおすといった使い方も有効である。具体的には、例えば図１３で説明した複数のＤＶＤから１枚のＢＤへのダビング時と同様のイメージであり、例えば、ディスクマガジン１２０に装着された光ディスク１も、ディスクトレイ１１０に装着された光ディスク１も、同じＢＤメディアの場合と考えれば良い。ディスクトレイ１１０にダビング先ディスクである光ディスク１を装着する。そして、ディスクマガジン１２０の複数の光ディスク１に分散して記録された番組データを、ディスクトレイ１１０に装着された光ディスク１にダビング記録するといった使い方も有効である。なおこの場合、ダビング元データとなるディスクマガジン１２０のデータは、ダビングが完了したら削除しても良い。
【０１４０】
なお、本発明の実施の形態１において、光ディスクチェンジャドライブ部１２を情報記録再生装置１００の中に組み込んで備える構成として説明を行ったが、この構成に限るものでは無い。つまり、情報記録再生装置１００が、ディスクトレイ１１０とディスクマガジン１２０を備えていれば、装置の構成は任意である。具体的には例えば、光ディスクチェンジャドライブ部１２を、例えば、外付けストレージのように、ＵＳＢなどのインタフェースによって情報記録再生装置１００に接続するような構成でも良い。このような外付け装置の構成にすると、例えばこの光ディスクチェンジャドライブ部１２をＰＣ用の外付けストレージ装置に転用することも可能である。
【０１４１】
また、本発明の実施の形態１の情報記録再生装置１００として、ディスクマガジン１２０の上側にディスクトレイ１１０を備える構成を記載したが、例えばこれらの配置を反対にしたとしても、同様の効果を得ることが出来ることは言うまでも無い。
【０１４２】
以上、本実施の形態１において主に説明したように、情報記録再生装置は、下記の構成を有している。
【０１４３】
すなわち、情報記録再生装置は、可搬型情報記録媒体（例えば、光ディスク１）に情報の記録再生を行う情報記録再生装置である。情報記録再生装置は、可搬型情報記録媒体を複数装着可能なチェンジャ型のドライブユニット（例えば、光ディスクチェンジャドライブ部１２）を備えている。ドライブユニットは、トレイ部（例えば、ディスクトレイ１１０）とマガジン部（例えば、ディスクマガジン１２０）とトラバース部（トラバースユニット１３０）を備えている。このとき、トレイ部は、可搬型情報記録媒体を１つのみ直接装着可能で、ドライブユニットの筐体の外部から内部、または内部から外部へスライド式にローディングされるものであっても良い。また、マガジン部は、複数の可搬型情報記録媒体を一度に装着可能で、外的な動力によってドライブユニットに直接取り付け・取り外しされるものであっても良い。このとき、トラバース部は、トレイ部に装着された可搬型情報記録媒体、及び、マガジン部に装着された可搬型情報記録媒体の双方に対して記録再生する。
【０１４４】
以上の構成により、上述した効果を奏する。すなわち、以上の構成により、ユーザの操作性を悪化させることがない。また、一時記録用に使用するのに十分な記録容量を確保できる。また、ダビングを行う場合に、ユーザの操作ミスを防ぐことができる。また、情報記録再生装置の小型化や軽量化、装置構成の簡素化、コストダウンを図ることができる。
【０１４５】
また、本実施の形態１の情報記録再生装置においては、ドライブユニット内のトレイ部とマガジン部との間での、可搬型情報記録媒体の受け渡しを制限しても良い。これにより、タビング時に、ダビング元データが格納された可搬型情報記録媒体がドライブユニットの筐体内に留まることを保証しても良い。
【０１４６】
以上の構成により、情報記録再生装置の大きさ（サイズ）をコンパクトにすることが出来る。
【０１４７】
また、本実施の形態１の情報記録再生装置においては、ドライブユニット内のトレイ部とマガジン部との間での、可搬型情報記録媒体の受け渡しを制限しても良い。これにより、マガジン部に装着された可搬型情報記録媒体がマガジン部に留まることを保証しても良い。このとき、さらにマガジン部がドライブユニットから取り外された状態では、マガジン部に装着された可搬型情報記録媒体の取り出しを制限しても良い。これにより、マガジン部に装着された複数の可搬型情報記録媒体に跨って、１つのコンテンツを記録再生することを可能としても良い。
【０１４８】
以上の構成により、ユーザの不快感を防ぐことができる。
【０１４９】
また、本実施の形態１の情報記録再生装置においては、ドライブユニットに、可搬型情報記録媒体を着脱可能な、トレイ部とマガジン部という２つの機構を備えていても良い。このとき、情報記録再生装置は、トレイ部とマガジン部の双方に所定の可搬型情報記録媒体が装着された場合にのみ、可搬型情報記録媒体に格納された全てもしくは一部のデータの読み出しを可能としても良い。
【０１５０】
以上の構成により、情報記録再生装置において記録されたデータに対するセキュリティレベルを強化することが可能となる。
【０１５１】
また、本実施の形態１の情報記録再生装置は、高速なデータ転送が可能なメモリドライブ（例えば、フラッシュメモリドライブ部１４）を備えていても良い。メモリドライブは、ドライブユニットへのデータの記録再生におけるバッファやキャッシュとして使用可能なバッファ領域（例えば、バッファ領域９１）と、コンテンツを一時的に記録しておくことが可能な一時記録領域（例えば、一時保存領域９２）とを共に備えていても良い。
【０１５２】
また、本実施の形態１の情報記録再生装置は、ＡＶデータなどの録画を行う情報記録再生装置であっても良い。このとき、情報記録再生装置は、情報記録再生装置の内部へ前記ＡＶデータを入力するためのＡＶ入力ユニット（例えば、ＡＶ入力部１８ａ）と、情報記録再生装置の外部へＡＶデータを出力するためのＡＶ出力ユニット（例えば、デコーダ部５０）と、ＡＶデータを、録画再生に適したデータ形式に変換するフォーマット変換ユニット（例えば、フォーマッタ３２）と、ＡＶデータの録画再生のために、入出力データを一時的に保存する緩衝の役割を果たすバッファユニット（例えば、バッファメモリ３４）と、録画再生に代表される前記情報記録再生装置全体の制御を行う制御ユニット（例えば、マイクロコンピュータ部７０）と、ユーザとの間での情報のやり取りを行うユーザインタフェースユニット（例えば、表示部７４やキー入力部７６）とを、さらに備えていても良い。
【０１５３】
また、本実施の形態１において主に説明したように、情報記録再生方法は、下記の構成を有している。ここで、情報記録再生方法は、情報記録再生装置によって可搬型情報記録媒体に情報の記録再生を行う情報記録再生方法である。
【０１５４】
本実施の形態１の情報記録再生方法は、トレイ部とマガジン部の双方に所定の可搬型情報記録媒体が装着された場合にのみ、可搬型情報記録媒体に格納された全てもしくは一部のデータの読み出しを可能としても良い。
【０１５５】
以上の構成により、情報記録再生装置において記録されたデータに対するセキュリティレベルを強化することが可能となる。
【０１５６】
また、本実施の形態１の情報記録再生方法は、ドライブユニット内のトレイ部とマガジン部との間での、可搬型情報記録媒体の受け渡しを制限しても良い。これにより、タビング時に、ダビング元データが格納された可搬型情報記録媒体がドライブユニットの筐体内に留まることを保証しても良い。
【０１５７】
以上の構成により、情報記録再生装置の大きさ（サイズ）をコンパクトにすることが出来る。
【０１５８】
また、情報記録再生装置において、マガジン部に装着された可搬型情報記録媒体がマガジン部に留まることを保証するために、ドライブユニット内のトレイ部とマガジン部との間での、可搬型情報記録媒体の受け渡しを制限され、さらにマガジン部がドライブユニットから取り外された状態では、マガジン部に装着された可搬型情報記録媒体の取り出しを制限されている場合において、本実施の形態１の情報記録再生方法は、マガジン部に装着された複数の可搬型情報記録媒体に跨って、１つのコンテンツを記録再生しても良い。
【０１５９】
以上の構成により、ユーザの不快感を防ぐことができる。
【０１６０】
（実施の形態２）
本発明の実施の形態２では、本発明の実施の形態１において説明した情報記録再生装置１００を用いて、ある光ディスク１から別の光ディスク１にダビングを行う場合の例を示す。ここでは、子どもの運動会の映像を自宅用と祖父母宅用に複製するといった、複数の光ディスク１に対して同じコンテンツをダビングする場合を例にして、ダビング処理手順について説明する。
【０１６１】
なお以降では、ダビングしたいコンテンツ情報を備えている光ディスク１をダビング元ディスクと呼び、またそのコンテンツが新たにダビングして記録される光ディスク１をダビング先ディスクと呼ぶ。
【０１６２】
従来ダビングを行う場合には、ダビング元データがＨＤＤという容量の大きな記憶媒体に記録されていた。つまりあたかも、大容量のバッファにダビングコンテンツが全て読み出されているのと同等の状態となっていた。そのため、光ディスク１に対して１枚ずつダビングを行い、それをダビングしたい枚数だけ繰り返していた。
【０１６３】
これに対して、本発明の実施の形態で示す情報記録再生装置１００にはダビング元データを全て読み出して一時的に保存しておくような大容量のバッファを備えない。バッファとして使用可能なバッファ領域９１の記録容量は、光ディスク１の最大記録容量よりも小さい。つまり、ダビングコンテンツを全てバッファに蓄積しておくという方法が採用できないため、処理手順を工夫する必要がある。
【０１６４】
図４は、情報記録再生装置１００を用いて複数の光ディスク１に対して同一コンテンツのダビングを行う際の手順を示すフローチャートである。なおここでは、ダビング元ディスクをディスクトレイ１１０に装着し、複数のダビング先ディスクをディスクマガジン１２０に装着して、同じコンテンツを複数のダビング先ディスクに対してダビングする場合を例に説明を行う。またダビング元ディスク、ダビング先ディスクは、既にユーザによって情報記録再生装置１００に対してセッティングされた状態にあり、またダビングコンテンツも既にユーザによって選択され、情報記録再生装置１００も認識済みであるとする。
【０１６５】
ステップ４０１：ダビング元ディスクからバッファ領域９１への読出し処理を行う。具体的には、情報記録再生装置１００は図５に示すフローの手順で処理を行う。
【０１６６】
図５は、情報記録再生装置１００による、ダビング元ディスクからのダビングデータの読出し処理手順を示すフロー図である。
【０１６７】
ステップ５０１：ダビング元ディスクを起動する。具体的にはマイクロコンピュータ部７０は、光ディスクチェンジャドライブ部１２のディスクトレイ１１０に装着されたダビング元ディスクをトラバースユニット１３０に装填し、起動するよう、回路基板１４０上のドライブ制御部１４１に対して指示を行う。これを受けドライブ制御部１４１は、ダビング元ディスクを起動する。
【０１６８】
ステップ５０２：ダビング元ディスクから、次にダビングするダビングデータを読み出す。具体的にはマイクロコンピュータ部７０は、起動中の光ディスク１から指定するデータの読み出しをドライブ制御部１４１に対して指示を行う。これを受けドライブ制御部１４１は、トラバースユニット１３０のピックアップ１３１などを用いて、指定されたデータの読み出しを行う。読み出したデータはマイクロコンピュータ部７０により、バッファであるバッファ領域９１に格納される。なお、次にダビングするダビングデータとは、前回ダビングしたコンテンツデータの続きのデータのことであり、またダビングを開始する場合は、次のダビングデータとはダビングを行うコンテンツデータの最初のデータのことである。
【０１６９】
ステップ５０３：ダビング元ディスクから、必要サイズ分のデータ読み出しが完了したか否かを判断する。具体的にはマイクロコンピュータ部７０は、「バッファ領域９１がこれ以上データを格納できない満杯状態になる」か、又は「全てのダビングコンテンツのデータ読出しが完了した」かのいずれかの状態になったかを判断する。そして、いずれかの状態になったと判断した場合は、次のステップ５０４へ進む。一方、いずれかの状態でも無いと判断した場合、つまりまだバッファ領域９１に対して読み出すべきデータが残っている場合には、ステップ５０２を繰り返して実施する。
【０１７０】
ステップ５０４：ダビング元ディスクを停止・排出する。具体的にはマイクロコンピュータ部７０は、トラバースユニット１３０に装填されたダビング元ディスクの起動を停止し、ディスクトレイ１１０を待機位置へ戻すようドライブ制御部１４１へ指示する。これを受けドライブ制御部１４１は、ダビング元ディスクを停止し、ディスクトレイ１１０を待機位置へ戻す。
【０１７１】
以上でステップ４０１におけるダビング元ディスクからのダビングデータ読出し処理を完了する。
【０１７２】
ステップ４０２：後述するステップ４０３からステップ４０５の処理を、ダビングを行うダビング先ディスクの枚数分だけ繰り返して実施する。
【０１７３】
ステップ４０３：次のダビング先ディスクを起動する。具体的にはマイクロコンピュータ部７０は、ディスクマガジン１２０に装着されたダビング先ディスクのうち、次にダビングを行う光ディスク１をトラバースユニット１３０に装填し、起動するよう、ドライブ制御部１４１に対して指示を行う。これを受けドライブ制御部１４１は、次のダビング先ディスクを起動する。ここで次のダビング先ディスクとは、複数あるダビング先ディスクの中で、バッファ領域９１に読み出されたダビング元ディスクのコンテンツデータを、次に記録を行う光ディスク１のことである。
【０１７４】
ステップ４０４：バッファ領域９１からダビング先ディスクへの記録処理を行う。具体的には、情報記録再生装置１００は図６に示すフローの手順で処理を行う。
【０１７５】
図６は、情報記録再生装置１００による、ダビング先ディスクへのダビングデータの記録処理手順を示すフロー図である。
【０１７６】
ステップ６０１：ダビング先ディスクへ、ダビングデータを記録する。具体的にはマイクロコンピュータ部７０は、ステップ４０２においてダビング元ディスクから読み出しバッファ領域９１に格納したダビングデータのうちの指定するデータを、起動中のダビング先ディスクに対して記録するようドライブ制御部１４１に対して指示を行う。記録するデータはマイクロコンピュータ部７０によりバッファ領域９１から記録データとして光ディスクチェンジャドライブ部１２へ転送される。これを受けドライブ制御部１４１は、トラバースユニット１３０のピックアップ１３１などを用いて、指定されたデータの記録を行う。
【０１７７】
ステップ６０２：ダビング先ディスクに対して、必要サイズ分のデータ記録が完了したか否かを判断する。具体的にはマイクロコンピュータ部７０は、バッファ領域９１に読み出されたダビングデータ全ての記録を完了したか否かを判断する。そして、全てのデータの記録が完了したと判断した場合には、処理を完了する。一方、全てのデータの記録がまだ完了していないと判断した場合は、ステップ６０１を繰り返して実施する。
【０１７８】
以上で、ステップ４０４におけるダビング先ディスクへのダビングデータ記録処理を完了する。
【０１７９】
なお、図６で示すダビング先ディスクへの記録処理フローとしては、図５に示すように起動した光ディスク１の記録処理や停止処理を含んでいないが、これは単なる説明の都合上独立させて記載しているだけである。別途、起動についてはステップ４０３、停止については後述のステップ（ここではステップ４０５）において実施する。
【０１８０】
ステップ４０５：ダビング先ディスクを停止・排出する。具体的にはマイクロコンピュータ部７０は、トラバースユニット１３０に装填されたダビング先ディスクの起動を停止し、マガジントレイ１２１を待機位置へ戻すようドライブ制御部１４１へ指示する。これを受けドライブ制御部１４１は、ダビング先ディスクを停止し、マガジントレイ１２１を待機位置へ戻す。
【０１８１】
上述したステップ４０３からステップ４０５までの処理を、ダビングを行うダビング先ディスクの枚数分だけ繰り返して実施する。
【０１８２】
ステップ４０６：全てのデータのダビングが完了したかを判断する。具体的にはマイクロコンピュータ部７０は、ステップ４０１中のステップ５０３において、「全てのダビングコンテンツのデータ読出しが完了した」と判断した場合、つまりダビングコンテンツのダビングが全て完了したと判断した場合には、ダビング処理を完了する。一方、「全てのダビングコンテンツのデータ読出しが完了していない」と判断した場合には、ステップ４０１から処理を繰り返して実施する。
【０１８３】
以上の手順により、ダビング処理が完了する。
【０１８４】
この処理の特徴は、ダビング処理のパフォーマンス向上のため、ダビング元ディスクからコンテンツを読み出す回数を最小限に抑えることに主眼を置いていることにある。そのため、ダビング元ディスクからのバッファ領域９１へのダビング元データの読出し１回に対して、バッファ領域からｍ枚（ｍは１以上の正数）のダビング先ディスクに対して逐次に記録を行う方式を採用する。
【０１８５】
図７は、２枚の光ディスク１に対して同じコンテンツをダビングする場合の、本発明の実施の形態２の手法を用いた場合と、１枚ずつダビングを行うという通常の手法を用いた場合の、「ディスクの起動・停止」、「記録」、「読出し」処理の回数に示した表である。ここでは、１枚ずつダビングを行う普通の処理手順と、本発明の実施の形態２に記載した手順での処理手順との比較を行った形で記載する。この表においては、説明を簡単にするため、ダビング元コンテンツの容量が１００ＧＢｙｔｅ、バッファとして使用するバッファ領域９１の容量が５０ＧＢｙｔｅであると仮定する。つまり、全てのダビング元コンテンツデータはＰａｒｔ．ＡとＰａｒｔ．Ｂという２回に分けてバッファ領域９１に読み出されるものとして説明を行う。
【０１８６】
図７に示すように、１枚ずつダビングを行うという通常の方法と比べて、本発明の実施の形態２に示す方法で処理した方が、「起動・停止」回数と「読出し」回数において減っており、パフォーマンスが向上していることが分かる。
【０１８７】
図１４に、ダビング時にユーザに対して提供する操作画面の表示の一例を、操作手順とあわせて記載した図を示す。
【０１８８】
まず、ユーザによってダビングしたいコンテンツが選択される（Ｓｔｅｐ１）。ここでは、ユーザによって“運動会”コンテンツが選択されたものとする。
【０１８９】
次に、ユーザによってダビング先ディスクが選択される（Ｓｔｅｐ２）。この際、同じコンテンツを複数の光ディスク１にダビングしたい場合は、複数の光ディスク１を選択することが出来る。図１４の例においては、ユーザによって、ディスク１とディスク２の２枚に、同じ“運動会”コンテンツをダビング指定されたものとする。
【０１９０】
次に、Ｓｔｅｐ２で選択された光ディスク１に、Ｓｔｅｐ１で選択されたコンテンツがダビング記録される（Ｓｔｅｐ３）。
【０１９１】
なお、この図１４で示した表示例はあくまで一例であり、これに限ったようなものでは無く、ここに示すように、同じコンテンツのダビング先として複数の光ディスク１が選択可能であれば、同様の効果を得ることが出来ることは言うまでも無い。
【０１９２】
なおここでは、複数の光ディスク１に対してダビングを行うものとして説明を行ったが、ダビング先ディスクが１枚の場合でも同様の手順で実施でき、この場合でも従来のダビング手順と比べての処理速度低下は無くダビングが実施出来る。つまり、本発明の実施の形態２に記載した方法は、ダビング先ディスクの枚数に関わらず、広く適用可能な方法である。
【０１９３】
以上、本実施の形態２において主に説明したように、情報記録再生装置は、下記の構成を有している。
【０１９４】
すなわち、情報記録再生装置は、可搬型情報記録媒体（例えば、光ディスク１）に情報の記録再生を行う情報記録再生装置である。情報記録再生装置は、可搬型情報記録媒体を複数装着可能なチェンジャ型のドライブユニット（例えば、光ディスクチェンジャドライブ部１２）を備えている。ドライブユニットは、トレイ部（例えば、ディスクトレイ１１０）とマガジン部（例えば、ディスクマガジン１２０）とトラバース部（トラバースユニット１３０）を備えている。このとき、トレイ部は、可搬型情報記録媒体を１つのみ直接装着可能で、ドライブユニットの筐体の外部から内部、または内部から外部へスライド式にローディングされるものであっても良い。また、マガジン部は、複数の可搬型情報記録媒体を一度に装着可能で、外的な動力によってドライブユニットに直接取り付け・取り外しされるものであっても良い。このとき、トラバース部は、トレイ部に装着された可搬型情報記録媒体、及び、マガジン部に装着された可搬型情報記録媒体の双方に対して記録再生する。
【０１９５】
さらに、本実施の形態２の情報記録再生装置は、高速なデータ転送が可能なメモリドライブ（例えば、フラッシュメモリドライブ部１４）を備えている。メモリドライブは、ドライブユニットへのデータの記録再生におけるバッファやキャッシュとして使用可能なバッファ領域（例えば、バッファ領域９１）と、コンテンツを一時的に記録しておくことが可能な一時記録領域（例えば、一時保存領域９２）とを共に備えている。
【０１９６】
さらに、本実施の形態２の情報記録再生装置においては、バッファ領域に蓄積可能なデータ容量は、可搬型情報記録媒体に蓄積可能なデータ容量よりも小さい。このとき、任意の可搬型情報記録媒体に格納されたデータをダビング元データとして、別のｍ枚（ｍは１以上の正数）の可搬型情報記録媒体にダビング記録する場合に、（ａ）バッファ領域への１回のダビング元データの一部分を読出して、バッファ領域から別のｍ枚の可搬型情報記録媒体へ逐次に記録を行う第１制御部と、（ｂ）前記（ａ）に記載の処理を、全てのダビング元データがダビング記録されるまで繰り返して行う第２制御部とを備える。
【０１９７】
以上の構成により、図７に示すように、１枚ずつダビングを行うという方法と比べて、「起動・停止」回数と「読出し」回数を低減することができる。すなわち、パフォーマンスを向上させることができる。
【０１９８】
また、本実施の形態２において主に説明したように、情報記録再生方法は、下記の構成を有している。
【０１９９】
すなわち、情報記録再生方法は、情報記録再生装置によって可搬型情報記録媒体に情報の記録再生を行う情報記録再生方法である。また、バッファ領域に蓄積可能なデータ容量は、可搬型情報記録媒体に蓄積可能なデータ容量よりも小さい。このとき、情報記録再生方法は、任意の可搬型情報記録媒体に格納されたデータをダビング元データとして、別のｍ枚（ｍは１以上の正数）の可搬型情報記録媒体にダビング記録する場合に、（ａ）バッファ領域への１回のダビング元データの一部分を読出して、バッファ領域から別のｍ枚の可搬型情報記録媒体へ逐次に記録を行うステップと、（ｂ）前記（ａ）に記載の処理を、全てのダビング元データがダビング記録されるまで繰り返して行うステップとを備える。
【０２００】
以上の構成により、図７に示すように、１枚ずつダビングを行うという方法と比べて、「起動・停止」回数と「読出し」回数を低減することができる。すなわち、パフォーマンスを向上させることができる。
【０２０１】
（実施の形態３）
本発明の実施の形態３では、本発明の実施の形態１において説明した情報記録再生装置１００において、光ディスクチェンジャドライブ部１２がトラバースユニット１３０を複数台備えている場合のダビング処理の例を示す。なおここでも、複数の光ディスク１に対して同じコンテンツをダビングする場合を例にして、ダビング処理手順について説明する。具体的には、トラバースユニット１３０を２台備え、ダビング先ディスクとして２枚（ダビング先ディスク（Ａ）とダビング先ディスク（Ｂ））の場合を例にとって説明する。
【０２０２】
図１０は、トラバースユニットを２台備えた光ディスクチェンジャドライブ部１２の構成を示す図であり、図１０（ａ）は光ディスクチェンジャドライブ部１２を上側から見た上面図、図１０（ｂ）は光ディスクチェンジャドライブ部１２を横側から見た側面図である。
【０２０３】
光ディスクチェンジャドライブ部１２は第１トラバースユニット１５０と第２トラバースユニット１５１を備える。なお第１トラバースユニット１５０及び第２トラバースユニット１５１はいずれも、トラバースユニット１３０と同一の構成、機能を備えているが、以降の説明を明確にするために、明示的に異なる番号を付与して説明を行う。また光ディスクチェンジャドライブ部１２においては、トラバースユニットを除いては、全て図１に示す光ディスクチェンジャドライブ部１２の構成と同じ構成である。
【０２０４】
図１０（ａ）に示すように、光ディスクチェンジャドライブ部１２は、幅方向に対して重ならない（異なる）位置に、２つのトラバースユニット（第１トラバースユニット１５０と第２トラバースユニット１５１）を備える。幅方向に対して重ならない（異なる）位置にトラバースユニットは、図１０（ｂ）に示すように、光ディスクチェンジャドライブ部１２の上下（高さ）方向に動く。そして、本発明の実施の形態１に記載したのと同様に、光ディスクチェンジャドライブ部１２が備える２つの光ディスク１の装着機構であるディスクトレイ１１０、およびディスクマガジン１２０に装着された光ディスク１に対して、１つのトラバースユニットが光ディスクチェンジャドライブ部１２内を上下に動作してアクセスを行うという。そのため、図１０（ａ）に示すように、光ディスク１を備えたディスクマガジン部１２０が、光ディスクチェンジャドライブ部１２の幅方向に動くという特徴を備える。つまり図１０（ａ）の場合、トラバースユニット１５１に光ディスク１を装着する際は、トラバースユニット１５１がアクセス可能な位置まで、ディスクマガジン１２０は筐体の幅方向に沿ってトラバースユニット１５１に近づくように適切な位置まで動き、さらに筐体の奥側方向にマガジントレイ１２１が引き込まれ、光ディスク１がアクセスされることになる。
【０２０５】
なお、ディスクトレイ１１０も、ディスクマガジン１２０と同様に、ディスクチェンジャドライブ部１２の幅方向に動かす構成としても良い。但しこの場合は、ディスクトレイ１１０は光ディスクチェンジャドライブ部１２の筐体の内部から外部へとスライドしてローディングされる機構であるため、ディスクマガジン１２０を幅方向に動かす構成を実現するよりは複雑な制御や機構を必要となる。
【０２０６】
なお説明の都合上、図１０（ａ）に示すように、光ディスクチェンジャドライブ部１２を上側から見た場合、ディスクマガジン１２０がディスクトレイ１１０よりも先に見えるように、つまりディスクマガジン１２０の方がディスクトレイ１１０よりも高さ方向に対して上側に配置されるものとして記載した。
【０２０７】
なお図１０に示す２つのトラバースユニットの配置はあくまで一例であり、これに限ったものでは無い。具体的には、例えば、図１０（ｂ）では、第１のトラバースユニット１５０と第２のトラバースユニット１５１とは、高さ方向に異なる位置に配置されたが、同じ高さ位置に配置されても構わない。この場合であっても、トラバースユニットは光ディスク１を装着した状態で上下方向に動くことは無いため、同じ高さで２枚の光ディスク１が装着されることは無いため、高さ方向に異なる位置に配置された場合と比べても、筐体のサイズは同等で対応できる。
【０２０８】
なお図１０（ａ）において、光ディスクチェンジャドライブ部１２が備える２つの光ディスク１の装着機構であるディスクトレイ１１０、およびディスクマガジン１２０に装着された光ディスク１に対して、同一のトラバースユニット１３０が光ディスクチェンジャドライブ部１２内を上下に動作してアクセスを行うと説明を行ったが、これに限ったものでは無い。例えば、ディスクマガジン１２０が光ディスクチェンジャドライブ部１２の筐体に対して幅方向に動くのに対して、ディスクトレイ１１０は幅方向には動かさないものと仮定する。これは上述した通り、ディスクトレイ１１０は筐体の内部から外部へとスライドしてローディングされる機構であるため、ディスクマガジン１２０と比べると幅方向に動かすのが困難なためである。この場合、筐体に対して幅方向に動かないディスクトレイ１１０に装着された光ディスク１には、必ず特定のトラバースユニットがアクセスを行うことになる（ここでは説明の都合上、トラバースユニット１５０がディスクトレイ１１０に装着された光ディスク１にアクセスすることとする）。つまり、少なくともディスクトレイ１１０に装着された光ディスク１へのアクセスを行わない、もう一方のトラバースユニット（ここではトラバースユニット１５１）については、光ディスクチェンジャドライブ部１２に装着された全ての光ディスク１に対してアクセスを行うように上下に動かす機構を備える必要は無い。言い換えれば、それぞれのトラバースユニットがアクセスできる光ディスク１を分担しても良い。このようにすることで、両方のトラバースユニットが全ての光ディスク１に対してアクセスを行う場合よりも、ディスクトレイ１１０を幅方向に動かすための機構が不要にできるといった効果が得られる。
【０２０９】
もしくは、トラバースユニット１５０と１５１が、幅方向かつ奥行き方向に動き、ディスクトレイ１１０とディスクマガジン１２０は、実施の形態１と同様に、幅方向には動かない構成としてもよい。これにより、情報記録再生装置１００の筐体の幅は広くなるが、ディスクトレイ１１０およびディスクマガジン１２０を幅方向に動かす機構なしに、両方のトラバースユニット１５０と１５１が、全ての光ディスク１を装着できる。
【０２１０】
２台のトラバースユニット（大きく言えば２台の光ディスクドライブ）でダビングを行う場合の例としては、例えば従来例として特許文献５で説明したような方法が一般的であった。具体的には、２台のドライブを“ダビング元ディスクからの再生用”及び“ダビング先ディスクへの記録用”という２つに分けて行うという方法である。
【０２１１】
しかし、大容量のバッファを備えないような場合、このようなやり方では処理速度・パフォーマンス的に効率が悪い。
【０２１２】
図８は、図１０に示すトラバースユニットを２台備えた情報記録再生装置１００を用いて、２枚の光ディスク１に対して同一コンテンツのダビングを行う際の手順を示すフローチャートである。図８のフローにおいて、左側の列（ステップ８０４を除く、ステップ８０１からステップ８０７）は第１トラバースユニット１５０での処理を示し、右側の列（ステップ８１１からステップ８１７）は第２トラバースユニット１５１での処理を示している。またステップ８０４及びステップ８０８は、両方のトラバースユニットにおいて共通の処理である。またこれらの処理の一部は、後でも述べるが、相互に同期しながら処理が実施される。
【０２１３】
なおここでは、ダビング元ディスクをディスクトレイ１１０に装着し、複数のダビング先ディスクをディスクマガジン１２０に装着して、同じコンテンツを複数のダビング先ディスクに対してダビングする場合を例に説明を行う。またダビング元ディスク、ダビング先ディスクは、既にユーザによって情報記録再生装置１００に対してセッティングされた状態にあり、またダビングコンテンツも既にユーザによって選択され、情報記録再生装置１００も認識済みであるとする。
【０２１４】
まず、第１トラバースユニット１５０側の処理について説明する。
【０２１５】
ステップ８０１：ダビング元ディスクからバッファ領域９１への読出し処理を行う。具体的には、情報記録再生装置１００は、第１トラバースユニット１５０を用いて、図５に示すフローの手順で読出し処理を行う。なお、図５の処理内容は、本発明の実施の形態２で説明した内容と同じであるため、ここでの説明は省略する。なお、ステップ８０１が全て完了した時点では、既にダビングデータはバッファ領域９１に読み出された状態になっている。
【０２１６】
ステップ８０２：ダビング先ディスク（ダビング先ディスク（Ｂ））を起動する。具体的にはマイクロコンピュータ部７０は、光ディスクチェンジャドライブ部１２のディスクマガジン１２０に装着された複数のダビング先ディスクのうち、ダビング先ディスク（Ｂ）を第１トラバースユニット１５０に装填し、起動するよう、ドライブ制御部１４１に対して指示を行う。これを受けドライブ制御部１４１は、第１トラバースユニット１５０にダビング先ディスク（Ｂ）を装填し、起動する。
【０２１７】
ステップ８０３：バッファ領域９１からダビング先ディスク（ダビング先ディスク（Ｂ））への記録処理を行う。具体的には、情報記録再生装置１００は、第１トラバースユニット１５０を用いて、ダビング先ディスク（Ｂ）に図６に示すフローの手順で記録処理を行う。なお、図６の処理内容は、本発明の実施の形態２で説明した内容と同じであるため、ここでの説明は省略する。
【０２１８】
ステップ８０４：全てのデータのダビングが完了したかを判断する。具体的にはマイクロコンピュータ部７０は、ステップ８０１中のステップ５０３において、「全てのダビングコンテンツのデータ読出しが完了した」と判断した場合、つまりダビングコンテンツのダビングが全て完了したと判断した場合には、ダビング処理を完了する。一方、「全てのダビングコンテンツのデータ読出しが完了していない」と判断した場合には、次の処理ステップ（第１トラバースユニット１５０側の処理ならばステップ８０５。第２トラバースユニット側の処理ならばステップ８１５。）へ進む。
【０２１９】
ステップ８０５：記録するのに必要な所定量のデータがバッファ領域９１に蓄積されたか否かを判断する。具体的にはマイクロコンピュータ部７０は、第２トラバースユニット１５１側の処理である後述のステップ８１５で、ダビング元ディスクからのダビングデータが所定量を超えてバッファ領域９１に読み出され、蓄積されたかどうかを判断する。ここで所定量の最小値はエラー訂正単位であり、記録再生の単位である１ＥＣＣ単位であり、最大値はバッファ領域９１のサイズであり、この間の値であれば任意の値として良い。所定値の具体例としては、ある程度連続記録が可能なサイズ（例えば１６ＥＣＣ（ＢＤの場合１ＭＢｙｔｅ（メガバイト））やＣＤＡサイズである４８ＭＢｙｔｅ。）などである。しかしこの図の例では、ダビングデータの読み出しは記録を行う第１トラバースユニット１５０とは別の第２トラバースユニット１５１で実施されるため、記録可能なデータ量が蓄積されれば記録を行っても良い。
【０２２０】
所定量を超えてデータが蓄積されたとマイクロコンピュータ部７０が判断した場合には、次の処理であるステップ８０６へ進む。まだ蓄積されているデータ量が所定量を超えていないとマイクロコンピュータ部７０が判断した場合には、本ステップ８０５の処理を繰り返して実施する（具体的には、所定時間のタイムアウトを設けてポーリングしながら所定量のデータが蓄積されるのを待つ）。
【０２２１】
ステップ８０６：バッファ領域９１からダビング先ディスク（ダビング先ディスク（Ｂ））への記録処理を行う。具体的には、情報記録再生装置１００は、第１トラバースユニット１５０を用いて、ダビング先ディスク（Ｂ）に図６に示すフローの手順で記録処理を行う。なお、図６の処理内容は、本発明の実施の形態２で説明した内容と基本的に同じであるが、唯一、ステップ６０２の判定処理に注意が必要である。具体的には、本発明の実施の形態２において説明した際には、必ずバッファ領域９１に必要サイズ分のデータ読み出し処理が完了していることが保証できた。しかし本発明の実施の形態３においては、並行して記録とは別のトラバースユニット（ここでは第２トラバースユニット１５１）にて読出し処理を行っている。そのため、必要サイズ分の読出し処理の途中であるにも関わらず、何らかの理由で一時的に読出し処理が停滞してしまい、見た目の記録可能なデータ量が無い状態に陥ることが想定される。この場合、誤って、必要サイズ分の記録が完了したと誤判定しないように、読出し処理側の状態についてもケアする必要がある。それを踏まえて、この場合の図６におけるステップ６０２の処理内容を簡単に記載する。
【０２２２】
ステップ６０２：ダビング先ディスクに対して、必要サイズ分のデータ記録が完了したか否かを判断する。具体的にはマイクロコンピュータ部７０は、ダビング元ディスクからのデータの読出し処理が終わっていて（つまりバッファ領域９１に対して必要サイズ分だけの読み出しが完了していて）、かつバッファ領域９１に読み出されたダビングデータ全ての記録を完了したか否かを判断する。そして、全てのデータの記録が完了したと判断した場合には、記録処理を完了し、後続のステップへ進む。一方、全てのデータの記録がまだ完了していないと判断した場合は、ステップ６０１を繰り返して実施する。
【０２２３】
ステップ８０７：ダビング先ディスク（ダビング先ディスク（Ｂ））を停止・排出する。具体的にはマイクロコンピュータ部７０は、第１トラバースユニット１５０に装填されたダビング先ディスク（Ｂ）の起動を停止し、マガジントレイ１２１を待機位置へ戻すようドライブ制御部１４１へ指示する。これを受けドライブ制御部１４１は、第１トラバースユニット１５０に装着されているダビング先ディスク（Ｂ）を停止し、マガジントレイ１２１を待機位置へ戻す。
【０２２４】
ステップ８０８：全てのデータのダビングが完了したかを判断する。具体的にはマイクロコンピュータ部７０は、後述のステップ８１５中のステップ５０３において、「全てのダビングコンテンツのデータ読出しが完了した」と判断した場合、つまりダビングコンテンツのダビングが全て完了したと判断した場合には、ダビング処理を完了する。一方、「全てのダビングコンテンツのデータ読出しが完了していない」と判断した場合には、所定のステップ（第１トラバースユニット１５０側の処理ならばステップ８０１。第２トラバースユニット１５１側の処理ならばステップ８１２。）へ戻り、処理を繰り返して実施する。
【０２２５】
以上が、第１トラバースユニット１５０側の処理である。
【０２２６】
次に、第２トラバースユニット１５１側の処理について説明する。
【０２２７】
ステップ８１１：ダビング先ディスク（ダビング先ディスク（Ａ））を起動する。具体的にはマイクロコンピュータ部７０は、ディスクマガジン１２０に装着された複数のダビング先ディスクのうち、ダビング先ディスク（Ａ）を第２トラバースユニット１５１に装填し、起動するよう、ドライブ制御部１４１に対して指示を行う。これを受けドライブ制御部１４１は、第２トラバースユニット１５１にダビング先ディスク（Ａ）を装填し、起動する。
【０２２８】
ステップ８１２：記録するのに必要な所定量のデータがバッファ領域９１に蓄積されたか否かを判断する。具体的にはマイクロコンピュータ部７０は、第１トラバースユニット１５０側の処理であるステップ８０１で、ダビング元ディスクからのダビングデータが所定量を超えてバッファ領域９１に読み出され、蓄積されたかどうかを判断する。ここで所定量とは、上述のステップ８０５の場合と同じであり、ここでの説明は省略する。
【０２２９】
所定量を超えてデータが蓄積されたとマイクロコンピュータ部７０が判断した場合には、次の処理であるステップ８１３へ進む。まだ蓄積されているデータ量が所定量を超えていないとマイクロコンピュータ部７０が判断した場合には、本ステップ８１２の処理を繰り返して実施する（具体的には、所定時間のタイムアウトを設けてポーリングしながら所定量のデータが蓄積されるのを待つ）。
【０２３０】
ステップ８１３：バッファ領域９１からダビング先ディスク（ダビング先ディスク（Ａ））への記録処理を行う。具体的には、情報記録再生装置１００は、第２トラバースユニット１５１を用いて、ダビング先ディスク（Ｂ）に図６に示すフローの手順で記録処理を行う。なお、図６の処理内容は、上述したステップ８０６の場合と同じであり、ここでの説明は省略する。
【０２３１】
ステップ８１４：ダビング先ディスク（ダビング先ディスク（Ａ））を停止・排出する。具体的にはマイクロコンピュータ部７０は、第２トラバースユニット１５１に装填されたダビング先ディスク（Ａ）の起動を停止し、マガジントレイ１２１を待機位置へ戻すようドライブ制御部１４１へ指示する。これを受けドライブ制御部１４１は、第２トラバースユニット１３０に装着されているダビング先ディスク（Ａ）を停止し、マガジントレイ１２１を待機位置へ戻す。続いて、上述したステップ８０４の処理が実施される。
【０２３２】
ステップ８１５：ダビング元ディスクからバッファ領域９１への読出し処理を行う。具体的には、情報記録再生装置１００は、第２トラバースユニット１５１を用いて、図５に示すフローの手順で読出し処理を行う。なお、図５の処理内容は、上述したステップ８０１の場合と同じであり、ここでの説明は省略する。
【０２３３】
ステップ８１６：ダビング先ディスク（ダビング先ディスク（Ａ））を起動する。具体的にはマイクロコンピュータ部７０は、ディスクマガジン１２０に装着された複数のダビング先ディスクのうち、ダビング先ディスク（Ａ）を第２トラバースユニット１５１に装填し、起動するよう、ドライブ制御部１４１に対して指示を行う。これを受けドライブ制御部１４１は、第２トラバースユニット１５１にダビング先ディスク（Ａ）を装填し、起動する。
【０２３４】
ステップ８１７：バッファ領域９１からダビング先ディスク（ダビング先ディスク（Ａ））への記録処理を行う。具体的には、情報記録再生装置１００は、第２トラバースユニット１５１を用いて、ダビング先ディスク（Ａ）に図６に示すフローの手順で記録処理を行う。なお、図６の処理内容は、上述のステップ８０３の場合と同じであり、ここでの説明は省略する。続いて、上述したステップ８０８の処理が実施される。
【０２３５】
以上が、第２トラバースユニット１５１側の処理である。以上の手順により、２台のトラバースユニットを用いた、２枚のダビング先ディスクへのダビング処理が完了する。
【０２３６】
なおこの手法は、図８を用いて説明した、２トラバースユニットでダビング先ディスクが２枚の場合に限らず、ダビング先ディスクが３枚、４枚など多数の場合に適用しても、同様の効果を得ることが出来る。但し、例えば２トラバースユニットの場合、３枚（奇数枚）のダビング先ディスクへのダビングを行う場合には、読出し処理が行われるトラバースユニット１３０はどちらか一方のトラバースユニットだけで行われることになる。これについて、図９を用いて説明する。
【０２３７】
図９は、図１０に示すトラバースユニットを２台備えた情報記録再生装置１００を用いて、３枚の光ディスク１に対して同一コンテンツのダビングを行う際の手順を示すフローチャートである。図９のフローにおいても図８のフローと同様に、左側の列（ステップ９０５を除く、ステップ９０１からステップ９０４）は第１トラバースユニット１５０での処理を示し、右側の列（ステップ９１１からステップ９１６）は第２トラバースユニット１５１での処理を示している。またステップ９０５は、両方のトラバースユニットにおいて共通の処理である。またこれらの処理の一部は、後でも述べるが、相互に同期しながら処理が実施される。
【０２３８】
なお、大半のステップは図８で説明したステップと同等の処理である。図９の説明においては、図８のステップと同等のステップについては、詳細な説明は省略する。
【０２３９】
ステップ９０１：ダビング元ディスクからバッファ領域９１への読出し処理を行う。ステップ９０１の処理内容は、前述のステップ８０１と同じであり、詳細な説明は省略する。
【０２４０】
ステップ９０２：ダビング先ディスク（ダビング先ディスク（Ｂ））を起動する。ステップ９０２の処理内容は、前述のステップ８０２と同じであり、詳細な説明は省略する。
【０２４１】
ステップ９０３：バッファ領域９１からダビング先ディスク（ダビング先ディスク（Ｂ））への記録処理を行う。ステップ９０３の処理内容は、前述のステップ８０３と同じであり、詳細な説明は省略する。
【０２４２】
ステップ９０４：ダビング先ディスク（ダビング先ディスク（Ｂ））を停止・排出する。ステップ９０４の処理内容は、前述のステップ８０７と同じであり、詳細な説明は省略する。
【０２４３】
ステップ９０５：全てのデータのダビングが完了したかを判断する。具体的にはマイクロコンピュータ部７０は、前述のステップ９０１中のステップ５０３において、「全てのダビングコンテンツのデータ読出しが完了した」と判断した場合、つまりダビングコンテンツのダビングが全て完了したと判断した場合には、ダビング処理を完了する。一方、「全てのダビングコンテンツのデータ読出しが完了していない」と判断した場合には、所定のステップ（第１トラバースユニット１５０側の処理ならばステップ９０１。第２トラバースユニット１５１側の処理ならばステップ９１２。）へ戻り、処理を繰り返して実施する。
【０２４４】
以上が、第１トラバースユニット１５０側の処理である。
【０２４５】
次に、第２トラバースユニット１５１側の処理について説明する。
【０２４６】
ステップ９１１：ダビング先ディスク（ダビング先ディスク（ＡまたはＣ））を起動する。ステップ９１１の処理内容は、前述のステップ８１１と同じであり、詳細な説明は省略する。
【０２４７】
ステップ９１２：記録するのに必要な所定量のデータがバッファ領域９１に蓄積されたか否かを判断する。ステップ９１２の処理内容は、前述のステップ８１２と同じであり、詳細な説明は省略する。所定量を超えてデータが蓄積された場合には、次のステップ９１３へ進む。
【０２４８】
ステップ９１３：バッファ領域９１からダビング先ディスク（ダビング先ディスク（ＡまたはＣ））への記録処理を行う。ステップ９１３の処理内容は、前述のステップ８１３と同じであり、詳細な説明は省略する。
【０２４９】
ステップ９１４：ダビング先ディスク（ダビング先ディスク（ＡまたはＣ））を停止・排出する。ステップ９１４の処理内容は、前述のステップ８１４と同じであり、詳細な説明は省略する。本ステップが完了すると、次はステップ９１５へ進む。
【０２５０】
ステップ９１５：ダビング先ディスク（ダビング先ディスク（ＣまたはＡ））を起動する。具体的にはマイクロコンピュータ部７０は、ディスクマガジン１２０に装着された複数のダビング先ディスクのうち、ダビング先ディスク（ＣまたはＡ）を第２トラバースユニット１５１に装填し、起動するよう、ドライブ制御部１４１に対して指示を行う。これを受けドライブ制御部１４１は、第２トラバースユニット１５１にダビング先ディスク（ＣまたはＡ）を装填し、起動する。
【０２５１】
ステップ９１６：バッファ領域９１からダビング先ディスク（ダビング先ディスク（ＣまたはＡ））への記録処理を行う。具体的には、情報記録再生装置１００は、第２トラバースユニット１５１を用いて、ダビング先ディスク（ＣまたはＡ）に図６に示すフローの手順で記録処理を行う。なお、図６の処理内容は、本発明の実施の形態２で説明した内容と同じであるため、ここでの説明は省略する。
【０２５２】
続いて、上述したステップ９０５の処理が実施される。
【０２５３】
なお、第２トラバースユニット１５１は、ダビング先ディスクＡおよびダビング先ディスクＣを扱う。ここで、ステップ９０５において「全てのダビングコンテンツのデータ読出しが完了していない」と判断され、ステップ９１１から繰り返して実施する場合は、ステップ９１１からステップ９１４では、直前のステップ９１６において記録がなされていたディスクに対しての処理が行われる。具体的には、例えば、ステップ９１６においてダビング先ディスクＣに対して記録を行った場合は、次のステップ９０５に続いて実施されるステップ９１１からステップ９１４では、ダビング先ディスクＣに対して処理を行い、それに続いて実施されるステップ９１５、ステップ９１６ではダビング先ディスクＡに対して処理を行う。これは、ステップ９１６直後にディスク停止処理を入れていないことからも明らかで、ディスクの無駄な起動・停止・排出処理を行わないようにするためである。無駄な処理を行わないことにより、ダビング処理のパフォーマンス向上に加えて、トラバースユニットを含む光ディスクチェンジャドライブ部１２の消耗を遅らせることが出来るといった効果がある。
【０２５４】
以上が、第２トラバースユニット１５１側の処理である。以上の手順により、２台のトラバースユニットを用いた、３枚のダビング先ディスクへのダビング処理が完了する。
【０２５５】
図９からも分かるように、ダビング先ディスクの枚数が３枚のように奇数枚の場合には、ダビング元データの読み出しが行われるのは、いずれか一方のトラバースユニットとなる。
【０２５６】
ここで、２台のトラバースユニットを、従来例のように記録専用／再生専用という形で割り当てて使用せず、両方のトラバースユニットで記録も再生も行うようにする理由を説明する。
【０２５７】
１点目の理由は、ダビング処理のパフォーマンス向上を考えたためである。ダビング元ディスクよりもダビング先ディスクの枚数の方が多いならば、再生処理より記録処理の処理数の方が多くなる。処理数が多い記録処理を２台のトラバースユニットで分担して行なうのが効率的である。具体的に、図１１を用いて説明する。図１１は、３枚の光ディスク１に対して同じコンテンツをダビングする場合の、図９のフローで示した本発明の実施の形態３の手法を用いた場合と、再生用と記録用にトラバースユニットを分けるという従来手法を用いた場合の、トラバースユニットが行う「記録」、「読出し」処理のシーケンスを示した図である。なお、図中の斜線の部分は、トラバースユニットが記録再生の処理を行っていないタイミングを示している。なお、説明を簡略化するため、ここでは光ディスク１をトラバースユニットに装着・排出するディスク交換処理については記載を省略する。さらに、説明を簡略化するため、ダビング元コンテンツの容量が１００ＧＢｙｔｅ、バッファとして使用するバッファ領域９１の容量が５０ＧＢｙｔｅであると仮定して説明を行う。つまり、全てのダビング元コンテンツデータはＰａｒｔ．ＡとＰａｒｔ．Ｂという２回に分けてバッファ領域９１に読み出される。
【０２５８】
図１１から分かるように、再生用と記録用とでトラバースユニットを分けて使用する従来の方法でダビングを行う場合と比べて、本発明の実施の形態３に記載の手法でダビングを行った方が、短時間で効率的にダビング処理を行えることが分かる。
【０２５９】
更に言うと、一般的に光ディスク１の記録再生を行う光ディスクドライブは、記録処理速度よりも再生処理速度の方が同等、もしくは高速である。これは、ドライブの性能的な問題に加えて、記録品質確保用に記録時専用の学習処理が行われること、更には記録時には正しく記録できたことを確認するＷｒｉｔｅ＆Ｖｅｒｉｆｙという同じ領域に２回アクセスが発生する処理が行われるために、処理時間も再生のみの場合の約２倍を要することなどが理由である。これは、本発明の実施の形態３で使用した情報記録再生装置１００の光ディスクチェンジャドライブ部１２においても同様である。つまり、再生専用と記録専用という形でトラバースユニットを分けた場合、再生専用のトラバースユニットが光ディスク１に対してアクセスしている時間より、記録専用トラバースユニットが光ディスク１に対してアクセスしている時間の方が長くなる。言い換えると、再生専用ドライブには、記録専用ドライブと比べて光ディスク１に対して何も処理しない時間が多く生まれてしまうため、非効率的である。そこで何もしない時間が極力少なくなるように、再生専用／記録専用という形にトラバースユニットを分けない方が、効率的に処理を行うことが出来るためである。
【０２６０】
２点目の理由は、記録処理の方が再生処理と比べて、ピックアップ１３１の構成要素の１つである半導体レーザに負荷がかかるため、トラバースユニットにおけるピックアップ１３１の劣化が早いのが一般的である。そのため、記録処理を全てのトラバースユニットにおいて平均化させるためである。こうすることで、ピックアップ１３１の劣化速度を平均化させることが出来るため、情報記録再生装置１００全体としての寿命を伸ばす効果が期待できるためである。
【０２６１】
ここで、２台のトラバースユニットを用いて複数の光ディスク１に対してダビングを行う場合のポイントを以下に列挙する。
【０２６２】
・記録処理が再生処理よりも処理数が多いので、バッファ領域９１へのダビングデータの読出し処理が完了したら、読出し処理を行っていたトラバースユニットを利用して、その時点でまだそのデータのダビング記録を行っていないダビング先ディスクへの記録を行う。
【０２６３】
・バッファ領域９１に蓄積したデータを最後にダビング記録するダビング先ディスクへの記録が始まったら、その記録を行うトラバースユニットとは異なるトラバースユニットの中で、直前の記録が最初に終わったトラバースユニットを用いて、ダビング元ディスクから次のダビングデータの読出しを行う。
【０２６４】
上述した通り、この手法は、本発明の実施の形態３において説明した、２トラバースユニットでダビング先ディスクが２枚、３枚の場合に限らず、ダビング先ディスクが４枚以上といった多数の場合に適用しても、図８や図９や図１１を用いて上記で説明したものと同様の効果を得ることが出来る。より具体的には、例えば２トラバースユニットの場合、３枚（奇数枚）のダビング先ディスクへのダビングを行う場合には、図９で示した手順で処理が行われる。この場合、読出し処理が行われるトラバースユニット１３０はどちらか一方のトラバースユニットだけで行われることになる。一方、４枚（偶数枚）のダビング先ディスクへのダビングを行う場合には、図８で示した手順で処理が行われる。
【０２６５】
なお、図８においては、ステップ８０１におけるステップ５０１でのダビング元ディスクの起動処理と、ステップ８１１におけるダビング先ディスク（Ａ）の起動処理とは、並行して（同時に）実施するのが良い。また図９においては、ステップ９０１におけるステップ５０１でのダビング元ディスクの起動処理と、ステップ９１１におけるダビング先ディスク（Ａ）の起動処理とは、それぞれが別々のトラバースユニットで実施される処理であるため、同時に並行して実施することが出来るためである。
【０２６６】
但し、スピンドルモータ回転に要する消費電力は大きいため、２つのトラバースユニットでの起動処理が同時に実施されると、情報記録再生装置１００としての最大消費電力が大きくなってしまう恐れがあるため、２つのトラバースユニットにおける起動処理はタイミングをずらして実施される方が好ましい。この場合、もし読出し（再生）用の起動処理時間と記録用の起動処理時間とが同じであるならば、読出し（再生）用の起動処理であるステップ８０１の方をステップ８１１と比べて先に実施するのが好ましい。ダビング処理の最初は、読出し処理が実施されない限りダビング記録処理も行えないため、少しでも早く読出し処理を開始できるほうが好ましいためである。もし読出し（再生）用の起動処理時間と記録用の起動処理時間とが違うならば、それぞれに要する処理時間を考慮して、時間が長くかかる処理から優先的に実施するように手順を決めるなどしても良い。例えば、起動時や起動後に実施される各種学習処理などを踏まえた、記録・再生が可能になるまでに要する時間を予測して、その時間を考慮して手順を決めるなどしても良い。
【０２６７】
なお、図８においては、第１トラバースユニット１５０側のステップ８０２とステップ８０３の処理は、第２トラバースユニット１５１側でダビング先ディスク（Ａ）に記録を行うステップ８１３の処理よりも、タイミング的には遅く（遅れて）実施されることになる。また、第２トラバースユニット１５１側のステップ８１６とステップ８１７の処理は、第１トラバースユニット１５０側でダビング先ディスク（Ｂ）に記録を行うステップ８０６の処理よりも、タイミング的には遅く（遅れて）実施されることになる。同様に、図９においては、第１トラバースユニット１５０側のステップ９０２からステップ９０４の処理は、第２トラバースユニット１５１側でダビング先ディスク（ＡまたはＣ）に記録を行うステップ９１３の処理よりも、タイミング的には遅く（遅れて）実施されることになる。これは、記録開始前に行われている処理ステップの違いによる。具体的には、例えば図８の場合、ステップ８１３やステップ８０６の処理は、ダビングデータをバッファ領域９１へ読出し中、もしくは読出し完了後、即座に記録処理が行える。一方でステップ８０２、８０３やステップ８１６，８１７の処理は直前にダビング元データの読出し処理を実施している。そのため、ダビング元データの読出し処理が終わった後、トラバースユニットに装着する光ディスク１をダビング先ディスクに入れ替えて再度起動した後、やっと記録が行える状態になるという違いがあるためである。
【０２６８】
以上、本発明の実施の形態２や実施の形態３で説明した情報記録再生装置１００を用いることで、従来のようにダビング先ディスクを、ユーザの手を介してその都度入れ替えることなく、同じダビングコンテンツを複数の光ディスク１に対してダビングすることが出来る。具体的には、ディスクトレイ１１０にダビング元ディスクを装着し、またディスクマガジン１２０にダビング先ディスクである光ディスク１を複数備えた形でダビング処理を行うことで、複数の光ディスク１への同時ダビングが実現出来る。これにより、個人コンテンツ等のダビングを行う際に、ユーザの手間を省いて簡単に複数の光ディスク１へのダビングを実現することが出来る。具体的には、子どもの小学校での運動会の様子をビデオカメラで撮影した個人コンテンツを親戚や友人や知人などに配る場合や、あるいは友人同士での旅行の際の写真や映像などの個人コンテンツをその友人に配る場合などに有効である。
【０２６９】
（実施の形態４）
本発明の実施の形態４では、図１に示す情報記録再生装置１００において、光ディスクチェンジャドライブ部１２とフラッシュメモリドライブ部１４とを活用して行う、複数番組同時録画機能について説明する。
【０２７０】
上述してきたように、光ディスク１は、ハードディスクやフラッシュメモリと比べて記録再生などのデータ転送レート・アクセス速度が遅い。さらに光ディスク１は可搬媒体であるため、光ディスクチェンジャドライブ部１２で光ディスク１を入れ替えながら記録再生を行うことになる。つまり、光ディスク１の入れ替えのたびに、数秒から数十秒という光ディスク１の起動（ロード）処理が多発する。そのため光ディスク１はハードディスクやフラッシュメモリと比べると、アクセスパフォーマンスが低下するといった弱点を備えることになる。
【０２７１】
さらに光ディスク１やハードディスクは、データの記録再生を行うために、ピックアップ１３１を実際にディスク上の対応する位置まで移動させるシークという処理が必要となる。そのため、シークが必要ないフラッシュメモリなどと比べてさらにアクセスパフォーマンスは低下する。
【０２７２】
これに対してＳＳＤに代表されるフラッシュメモリは、非常に高速なデータ転送速度を備え、ディスクの入れ替えなどが発生しないなど、光ディスク１の弱点を補うことが可能である。
【０２７３】
以下では、２つの用途を例に説明する。
【０２７４】
ここで、以下の説明の前提となる数値条件などについて簡単に説明する。
【０２７５】
まず録画再生コンテンツの最高転送レートとしては、現在の日本の放送データで最高レートであるＢＳハイビジョン放送の２４Ｍｂｐｓ（メガｂｐｓ：ｂｉｔ  ｐｅｒ  ｓｅｃｏｎｄ）を用いて説明する。参考までに、地上波デジタル放送のデータ転送レートは最大１７Ｍｂｐｓである。
【０２７６】
次に光ディスクにおける記録再生速度は、書換型ＢＤディスクであるＢＤ−ＲＥを例に、現行光ディスクドライブの一般的な記録速度である２倍速記録を代表値として採用する。具体的には、１倍速での転送レートが３６Ｍｂｐｓであるため、２倍速記録では７２Ｍｂｐｓとなる。しかし光ディスクは、光ディスク１へのアクセスを行うことが出来ない時間が存在する。その代表的なものが、上述した「起動（ロード）時間やディスク入れ替えなどのディスク交換時間」と「ヘッドのシーク時間」である。ここで、シーク時間の中には、ピックアップ１３１のシークそのものの時間に加えて更に、シーク先において回転数の制定時間や記録再生するために必要になる学習時間や各種設定時間なども含まれているものとする。
【０２７７】
前者のディスク交換は、ディスクを入れ替えるたびに必要となる時間であり、ここでは一律３０秒とする。またシーク時間については、１回の処理時間という観点に加えて、その頻度が問題になってくる。ここでは最悪条件を想定し、頻度は、ＢＤにおける連続再生保証用の最低限連続した情報単位の記録エリア（ＣＤＡ）のサイズである最小４８ＭＢｙｔｅの記録毎に発生するものする。また１回のシーク処理に要する処理時間は１．５秒として説明を行う。つまり、７２Ｍｂｐｓで４８ＭＢｙｔｅの記録には約５．３秒要するが、この単位ごとに１．５秒のシーク（つまり、アクセス不能時間）が発生するため、実質の転送レート（実効転送レート）は、６．８秒（５．３秒＋１．５秒）で４８ＭＢｙｔｅのデータ記録を行うことになるため、約５６．２Ｍｂｐｓとなる。
【０２７８】
１）１番組録画／１番組再生を同時実施した場合
想定ケースとしては、光ディスク（Ａ）にコンテンツ（Ａ）の録画を行いつつ、並行して光ディスク（Ｂ）に記録されたコンテンツ（Ｂ）を再生するようなケースである。例えば光ディスク（Ａ）は情報記録再生装置１００のディスクマガジン１２０に装着され、また光ディスク（Ｂ）はディスクトレイ１１０に装着されているようなケースである。
【０２７９】
図１５（ａ）は、上記条件において１番組録画／１番組再生を同時に実施した場合の、バッファ領域９１の状態を示したグラフである。横軸が経過時間、縦軸がバッファ領域９１に蓄積されるデータ量である。バッファ領域９１を記録用バッファと再生用バッファとして分けて使用した場合の再生バッファの蓄積データ量の推移を実線に、記録バッファの蓄積データ量の推移を破線に示している。また、図中に記載した「読出し中」や「ディスク交換」とは、トラバースユニット１３０の状態を示している。トラバースユニット１３０が光ディスク１にデータを記録している場合は「記録中」、データを読出している場合には「読出し中」、アクセスする光ディスク１を交換している場合は「交換中」と記載している。また、図中に記載した「+３２．２Ｍｂｐｓ」という記載はバッファへのデータの蓄積速度を示したものである。“＋”はバッファにデータが蓄積される速度、反対に“−”はバッファからデータが放出される速度である。
【０２８０】
再生バッファにおいて、トラバースユニット１３０が、読出し（再生）処理中は３２．２Ｍｂｐｓ（＝５６．２Ｍｂｐｓ−２４Ｍｂｐｓ）でデータが蓄積され、ディスク交換中と記録処理中は２４．０Ｍｂｐｓでデータが放出される。
【０２８１】
記録バッファにおいて、トラバースユニット１３０が、読出し（再生）処理中とディスク交換中は２４．０Ｍｂｐｓでデータが蓄積され、記録処理中は３２．２Ｍｂｐｓでデータが放出される。
【０２８２】
図１５（ａ）に示す通り、記録バッファ・再生バッファともに２ＧＢｙｔｅ（２０００ＭＢｙｔｅ）を確保出来れば、つまりバッファ領域９１として合計４ＧＢｙｔｅのサイズを確保できれば、十分に実現できることが分かる。つまり、光ディスクチェンジャドライブ部１２を用いた場合でも、１番組録画／１番組再生の同時実施が可能であることが分かる。
【０２８３】
２）２番組録画／１番組再生を同時実施した場合
想定ケースとしては、光ディスク（Ａ）にコンテンツ（Ａ）の録画を行いつつ、同時に別の光ディスク（Ｂ）にコンテンツ（Ｂ）の録画を行う。さらに並行して、光ディスク（Ｃ）に記録されたコンテンツ（Ｃ）を再生するようなケースである。例えば光ディスク（Ａ）および光ディスク（Ｂ）は情報記録再生装置１００のディスクマガジン１２０に装着され、また光ディスク（Ｃ）はディスクトレイ１１０に装着されているようなケースである。
【０２８４】
再生中の再生バッファへのデータ蓄積速度が約３２Ｍｂｐｓであるのに対して、記録バッファへのデータ蓄積速度は２４Ｍｂｐｓ×２＝４８Ｍｂｐｓとなる。つまり記録バッファ側への蓄積速度の方が約１６Ｍｂｐｓ速いことになる。一方で記録中の再生バッファの消費速度が２４Ｍｂｐｓであるのに対して、記録バッファへの蓄積速度も２４Ｍｂｐｓである。つまり、光ディスク１への記録中に再生を継続させることが可能なだけの再生データを蓄積することは、２４Ｍｂｐｓの転送レートのコンテンツを想定した場合には実現できないことになる。
【０２８５】
しかし、例えば地上波デジタル放送の転送レートである１７Ｍｂｐｓのコンテンツ録画再生だと想定すると、２番組録画／１番組再生を同時に実施した場合の、バッファ領域９１の状態は図１５（ｂ）に示したようになる。ここでは、バッファ領域９１を、再生バッファと２つの記録バッファ（記録バッファＢと記録バッファＣ）のそれぞれを同じサイズで割り当てた場合の例になる。再生バッファの蓄積データ量の推移を実線に、記録バッファ（Ａ）の蓄積データ量の推移を破線に、記録バッファ（Ｂ）の蓄積データ量の推移を点線にて示している。
【０２８６】
再生バッファにおいて、トラバースユニット１３０が、読出し（再生）処理中は３９．２Ｍｂｐｓ（＝５６．２Ｍｂｐｓ−１７Ｍｂｐｓ）でデータが蓄積され、ディスク交換中と記録処理中は１７．０Ｍｂｐｓでデータが放出される。
【０２８７】
記録バッファにおいて、記録バッファＢおよび記録バッファＣともに、トラバースユニット１３０が、読出し（再生）処理中とディスク交換中は１７．０Ｍｂｐｓでデータが蓄積され、記録処理中は３９．２Ｍｂｐｓでデータが放出される。
【０２８８】
図１５（ｂ）に示す通り、転送レートが地上波デジタル放送の最高転送レートである１７Ｍｂｐｓを想定した場合は、記録バッファ・再生バッファいずれも約２．７ＧＢｙｔｅ（２７００ＭＢｙｔｅ）を確保出来れば、２番組録画／１番組再生の同時実施が十分に実現できる。つまりバッファ領域９１として合計８ＧＢｙｔｅのサイズを確保できれば、２番組録画／１番組再生の同時実施が十分に実現できることが分かる。
【０２８９】
なお、仮に２４Ｍｂｐｓの転送レートにて２番組録画／１番組再生を行おうとした場合、フラッシュメモリドライブ部１４の一時保存領域９２を用いることで実現することも可能である。フラッシュメモリドライブ部１４は上述した通り、非常に転送速度が高速である。例えば、フラッシュメモリドライブ部１４における一時保存領域９２のサイズが２４ＧＢｙｔｅとすれば、転送レートが２４Ｍｂｐｓのコンテンツを約２時間分蓄積可能である。よって、一時保存領域９２に蓄積可能な間は一時保存領域に記録を行い。そして、一時保存領域９２への蓄積可能サイズを超えた以降は、コンテンツデータを生データではなく、例えば上記で説明したように１７Ｍｂｐｓ以下に圧縮率を上げて圧縮しながら光ディスク１へ記録するなどといった対応をすることで、２４Ｍｂｐｓという高転送レートでの２番組録画／１番組再生を最大限に実施することも可能である。
【０２９０】
以上から、光ディスクチェンジャドライブ部１２を用いた場合でも、地上波デジタル放送の最高転送レートである１７Ｍｂｐｓを想定すれば、２番組録画／１番組再生の同時実施が可能である。またその中の１番組をフラッシュメモリドライブ部１４の一時保存領域９２に対して録画再生すれば２４Ｍｂｐｓのコンテンツであっても２番組録画／１番組再生の同時実施が可能である。以上から、ユーザの実使用状態を想定した場合、問題ないレベルであると言える。
【０２９１】
なお、本発明の実施の形態４では、書換型ＢＤディスクであるＢＤ−ＲＥを例に、記録速度は２倍速として説明を行ったが、この記録速度が上がった場合は、同時並列に処理できる番組数は増えることになる。例えば、記録速度が３倍速記録になった場合は、上記で説明した同時録画再生可能な番組数に対して、理論的には１．５倍の番組数を同時録画再生可能となる。あるいは、例えば、録画データの圧縮率を上げることで、並列処理できる番組数を増やすことも可能である。
【０２９２】
（実施の形態５）
本発明の実施の形態５では、情報記録再生装置１００が、非常にデータ転送速度が高速なＳＳＤのようなフラッシュメモリドライブ部１４を備えることで可能となる、その他の機能の例について簡単に説明する。
【０２９３】
（１）多番組同時録画／同時再生
本発明の実施の形態４にて説明したように、光ディスクチェンジャドライブ部１２へのデータ記録を考えた場合、２番組録画／１番組再生の同時実施は可能である。
【０２９４】
しかしこれを、全てフラッシュメモリドライブ部１４の一時保存領域９２に対して録画再生を行うことを考えた場合は、より多くのコンテンツの録画再生同時実行が可能となる。
【０２９５】
一時保存領域９２のデータ容量が２４ＧＢｙｔｅであり、転送レートが２４Ｍｂｐｓのコンテンツを約２時間（１２０分）記録できるとした場合、例えば、１０分番組１２本の同時録画再生といった使い方も可能である。
【０２９６】
（２）特定番組のみの条件付き録画
本発明の実施の形態５の（１）で記載したように、フラッシュメモリドライブ部１４への録画再生であれば、一時的に多番組の同時録画が可能である。また近年では、特定の人物を認識・識別することが可能な顔認識技術もその技術レベルが向上している。
【０２９７】
そこで、これらの機能を用いて特定の人物が登場する番組やシーンのみを抽出して録画を行うといった機能も実現することが可能になる。
【０２９８】
より具体的には、例えば、お気に入りの俳優の顔データを、ＡＶレコーダ装置である情報記録再生装置１００の、例えばフラッシュメモリドライブ部１４の中に登録しておく。そして、この顔データを用いてバッファ領域９１、もしくは一時保存領域９２に一時的に録画中の番組に対して、顔認識技術を用いて登場人物の認識を行い、お気に入りの俳優が出演していると判断された番組やシーンのみを、記録容量が多く長期保存が可能な光ディスクチェンジャドライブ部１２を用いて光ディスク１に記録するといった機能も実現することが出来る。
【０２９９】
なお最近の地上波デジタル放送などのデータ放送においては、その番組に出演する俳優の名前など、登場人物に関するデータなども付加されており、そこから登場人物を把握することが可能である。よって、ドラマや映画などの場合にはその情報を用いることで特定の人物が登場する番組の録画という機能は実現可能である。
【０３００】
しかし、その人物が登場しているシーンのみを抽出して記録するといった使い方は、付加情報を用いても実現できない。あるいは、ニュース番組や特別番組、あるいは付加情報として名前が登録されていないような駆け出しの俳優、もしくはエキストラなど、付加情報からの判断が出来ない番組録画も、やはり付加情報を用いて行うことは出来ない。そこに顔認識技術を適用することで、更に詳細で正確な番組録画が可能になる。
【０３０１】
（３）人物データ置換再生
本発明の実施の形態５の（２）で記載したように、登場人物の顔認識による人物限定が可能となる。そこで、これと同様の機能を再生時に適用することを考えると、更に新しい機能として、登場人物を特定人物に置き換えて再生するようなことが実現可能となる。
【０３０２】
具体的には、例えば、ある俳優の顔データに加えて、さらに自分の顔データもＡＶレコーダ装置である情報記録再生装置１００の例えばフラッシュメモリドライブ部１４の中に登録しておく。そして、光ディスク１や一時保存領域９２に録画された番組の再生中など、フラッシュメモリドライブ部１４のバッファ領域９１や一時保存領域９２に再生のために読み出された番組データの中から、ある俳優の登場シーンを識別し、その俳優の顔データと自分の顔データとを置換えた形で、デコーダ部５０を介してモニタに再生映像を出力するといったことが可能になる。
【０３０３】
このようにすることで、あたかもその番組に自分が登場したかのように見せた形での再生なども可能になる。
【０３０４】
なおこの使い方は、番組録画する際の録画データそのものに対して、ある俳優の顔データを自分の顔データと置き換えて記録するといった使い方でも良い。
【０３０５】
あるいは、上記とは発想を逆転し、例えば情報記録再生装置１００のフラッシュメモリドライブ部１４の中に衣装データや風景データなど、任意のデータを入れておき、光ディスク１や一時保存領域９２に録画された番組の再生中に、登場人物の衣装や、映像中の風景を登録したデータで置き換えて再生するといった使い方も可能である。つまり、顔認識技術を応用して、衣装認識や風景認識といったことを行えば、顔データの置換と同様の処理が実現出来る。これは例えば、ビデオカメラで撮影した個人コンテンツを再生するような場合に、日本で撮影した映像に対して、登場人物が着ている衣装や風景を外国のデータに置き換えて再生するとか、或いは夏に撮った映像を冬バージョンとして季節を変えて、それに合わせて風景や衣装を変えて再生するといった使い方も可能になる。
【０３０６】
なお、本発明の目的は、情報記録再生装置１００からＨＤＤを完全に排除することを目的としたものでは無い。具体的には、例えば、本発明の実施の形態で示した図２に示した情報記録再生装置１００において、フラッシュメモリドライブ部１４を、光ディスク１の記録容量よりも小容量のＨＤＤとしても、少なくとも本発明の実施の形態１から本発明の実施の形態４で説明したものと同様の効果を得ることが出来る。また、本発明の実施の形態５については、ＨＤＤの転送速度がＳＳＤほど早くないが、ほぼ同様の処理が実現出来る。あるいは、図２に示した情報記録再生装置１００において、光ディスクチェンジャドライブ部１２とフラッシュメモリドライブ部１４に加えて、ＨＤＤをさらに備えても良い。このような場合、例えばフラッシュメモリドライブ部１４の一時保存領域９２の役割をＨＤＤが担うといった使い方をすることで、本発明の実施の形態１から本発明の実施の形態５で説明したものと同様の効果を得ることが出来ることは言うまでも無い。
【０３０７】
なお、本発明の実施の形態１から実施の形態４において、民生用のＡＶレコーダ装置を例として記載をしたが、これらの用途は民生用ＡＶレコーダ装置に限ったものでは無い。具体的には、ＰＣなどデータ蓄積を行う装置に適用されても良い。
【０３０８】
なお、本発明の実施の形態においては、メディア種別（再生専用媒体や追記型媒体など）によってディスクマガジン１２０を分ける例は記載したが、その他については特に触れなかった。しかし、例えば、ＣＤ／ＤＶＤ／ＢＤという、フォーマットが異なる光ディスク１が挿入されても構わない。例えば、メディア種別に応じたディスクマガジン１２０という例の場合であれば、追記型媒体用のディスクマガジン１２０には、ＢＤ−ＲやＤＶＤ−Ｒが混在された形で装着されても構わず、ユーザの任意で選択可能となるため、ユーザの自由度をあげることが出来る。
【０３０９】
以上、本発明の特定の実施の形態について説明されてきたが、当業者にとっては他の多くの変形例、修正、他の利用が本発明に含まれることは明らかである。それゆえ、本発明は、ここでの特定の実施の形態に限定されず、請求項によってのみ限定され得る。
【産業上の利用可能性】
【０３１０】
本発明によれば、光ディスクチェンジャを用い、複数の光ディスクによって従来のハードディスクが担っていた一時保存領域を提供し、さらに光ディスクの装着手段として２つの手段（トレイ部とディスクマガジン部）を備える。また、キャッシュ等の役割を果たす、転送レートが非常に高速なフラッシュメモリドライブ部を備え、光ディスク入れ替えに伴う起動（ロード）時間などのアクセス不能時間をカバーして、記録再生を途切らせることなく実現する。これにより、光ディスクをアーカイブ・バックアップ用途だけでなく、従来のハードディスクが担っていた一時保存用にも使用できる。これにより、例えば同一コンテンツを複数の光ディスクに同時にダビングできるといった、ユーザにとっての操作性向上が実現出来る。本発明は、例えば、民生用の番組録画装置である光ディスクレコーダ装置などに適用できる。
【符号の説明】
【０３１１】
１    光ディスク
１００，２００    情報記録再生装置
１２    光ディスクチェンジャドライブ部
１４    フラッシュメモリドライブ部
１６，２１６    データ制御部
１８ａ    ＡＶ入力
１８ｂ    地上波デジタルチューナ
１８ｃ    地上波アナログチューナ
２０    選択回路
３０    エンコーダ部
３２    フォーマッタ
３４，２３４    バッファメモリ
５０    デコーダ部
７０    マイクロコンピュータ部
７４    表示部
７６    キー入力部
９１    バッファ領域
９２    一時保存領域
９３    記録データ管理領域
１１０    ディスクトレイ
１２０    ディスクマガジン
１２１    マガジントレイ
１２２    ＩＣタグ
１３０，１５０，１５１    トラバースユニット
１３１    ピックアップ
１３２    スピンドルモータ
１３３    トラバース
１４０    回路基板
１６０    リーダー装置
１４１    ドライブ制御部
２１２    光ディスクドライブ部
２１４    ハードディスクドライブ部
【図１】
2012160245.tif 000003
【図２】
2012160245.tif 000004
【図３】
2012160245.tif 000005
【図４】
2012160245.tif 000006
【図５】
2012160245.tif 000007
【図６】
2012160245.tif 000008
【図７】
2012160245.tif 000009
【図８】
2012160245.tif 000010
【図９】
2012160245.tif 000011
【図１０】
2012160245.tif 000012
【図１１】
2012160245.tif 000013
【図１２】
2012160245.tif 000014
【図１３】
2012160245.tif 000015
【図１４】
2012160245.tif 000016
【図１５】
2012160245.tif 000017
【図１６】
2012160245.tif 000018